(57)【要約】【課題】オーバーヘッドの増加を最小限に抑えつつ、ＨＡＲＱを実現する。【解決手段】本発明の実施形態としての無線通信装置は、少なくともＰＨＹヘッダーとペイロードとを備えるパケットデータを送信する送信部であって、前記パケットデータが再送データを含まない場合には、第１ＰＨＹヘッダーを前記ＰＨＹヘッダーとして送信し、前記パケットデータが再送データを含む場合には、前記第１ＰＨＹヘッダーよりも情報量が多い第２ＰＨＹヘッダーを前記ＰＨＹヘッダーとして送信する、送信部、を備える。【選択図】図２
2019036910.tif 000002
【特許請求の範囲】
【請求項１】
少なくともＰＨＹヘッダーとペイロードとを備えるパケットデータを送信する送信部であって、
前記パケットデータが再送データを含まない場合には、第１ＰＨＹヘッダーを前記ＰＨＹヘッダーとして送信し、
前記パケットデータが再送データを含む場合には、前記第１ＰＨＹヘッダーよりも情報量が多い第２ＰＨＹヘッダーを前記ＰＨＹヘッダーとして送信する、送信部、
を備える無線通信装置。
【請求項２】
前記第１ＰＨＹヘッダーの時間長は、前記第２ＰＨＹヘッダーの時間長よりも短い、請求項１に記載の無線通信装置。
【請求項３】
前記第１ＰＨＹヘッダーは、第１シグナルフィールドを備え、
前記第２ＰＨＹヘッダーは、前記第１シグナルフィールドとは異なる変調方式の第２シグナルフィールドを備える、
請求項１または請求項２に記載の無線通信装置。
【請求項４】
前記第１シグナルフィールドの変調方式は、ＢＰＳＫまたはＱＢＰＳＫのうちいずれか一方であり、
前記第２シグナルフィールドの変調方式は、ＢＰＳＫおよびＱＢＰＳＫのうち前記第１シグナルフィールドの変調方式とは異なる他方の変調方式である、請求項３に記載の無線通信装置。
【請求項５】
前記第１ＰＨＹヘッダーおよび前記前記第２ＰＨＹヘッダーはリトライフィールドを備え、前記第１ＰＨＹヘッダーのリトライフィールドと、前記第２ＰＨＹヘッダーのリトライフィールドとに格納されている値は異なる値である、
請求項１または請求項２に記載の無線通信装置。
【請求項６】
前記第２ＰＨＹヘッダーは、前記パケットデータをスクランブルした際に用いたスクランブル初期値を備える、請求項１または請求項２に記載の無線通信装置。
【請求項７】
前記第２ＰＨＹヘッダーは、前記パケットデータの送信先である宛先アドレスを備える、請求項１または請求項２に記載の無線通信装置。
【請求項８】
前記第２ＰＨＹヘッダーは、前記パケットデータのＭＡＣフレームのシーケンス番号、フレームサイズおよびフレーム順序に関する情報のうち少なくとも１つを備える、請求項１または請求項７に記載の無線通信装置。
【請求項９】
前記第２ＰＨＹヘッダーは、前記パケットデータの尤度合成の処理方法を指定するフィールドを備える、請求項１または請求項２に記載の無線通信装置。
【請求項１０】
前記パケットデータを受信し、前記第１ＰＨＹヘッダーまたは前記第２ＰＨＹヘッダーの内容に基づいて当該パケットデータをデコードする、受信部をさらに備える、請求項１ないし請求項９のいずれかに記載の無線通信装置。
【請求項１１】
前記パケットデータを受信し、前記第１ＰＨＹヘッダーまたは前記第２ＰＨＹヘッダーの変調方式に基づいて当該パケットデータをデコードする、受信部をさらに備える、請求項１ないし請求項９のいずれかに記載の無線通信装置。
【請求項１２】
少なくとも１つのアンテナ、
をさらに備えた請求項１ないし請求項１１のいずれかに記載の無線通信装置。
【請求項１３】
少なくともＰＨＹヘッダーとペイロードとを備えるパケットデータが再送データを含まない場合には、第１ＰＨＹヘッダーを前記ＰＨＹヘッダーとして送信し、
前記パケットデータが再送データを含む場合には、前記第１ＰＨＹヘッダーよりも情報量が多い第２ＰＨＹヘッダーを前記ＰＨＹヘッダーとして送信する、
無線通信方法。
【発明の詳細な説明】
【技術分野】
【０００１】
本発明の実施形態は、無線通信装置および無線通信方法に関する。
【背景技術】
【０００２】
受信機が送信機から受信したパケットの誤りを検出した際、送信機から再送されるパケットの信頼性情報（尤度情報）を最初に受信したパケットの尤度情報と合成することにより、信号品質を改善するハイブリッド自動再送制御（ＨＡＲＱ：Hybrid Automatic Repeat Request）が知られている。無線通信におけるＨＡＲＱを利用する誤り訂正において、必要な情報は、例えば、ＰＨＹ（Physical Layer）ヘッダーに格納される。より具体的には、スクランブル初期値をＰＨＹヘッダーに格納することにより、スクランブル処理の信頼性を高めたり、宛先アドレスをＰＨＹヘッダーに格納することにより、受信機での復号処理を効率化し、商品電力を低減したりする。
【０００３】
しかしながら、上記のような例においては、スクランブル初期値や宛先アドレス情報を常にＰＨＹヘッダーに格納しているため、ＰＨＹヘッダーの情報量が多くなる。この結果、オーバーヘッドが増加し、通信効率が劣化するという問題がある。
【先行技術文献】
【特許文献】
【０００４】
【特許文献１】特表２０１６−５２５３１８号公報
【発明の概要】
【発明が解決しようとする課題】
【０００５】
本発明の実施形態は、オーバーヘッドの増加を抑えつつ、ＨＡＲＱを実現する無線通信装置を提供する。
【課題を解決するための手段】
【０００６】
本発明の実施形態としての無線通信装置は、少なくともＰＨＹヘッダーとペイロードとを備えるパケットデータを送信する送信部であって、前記パケットデータが再送データを含まない場合には、第１ＰＨＹヘッダーを前記ＰＨＹヘッダーとして送信し、前記パケットデータが再送データを含む場合には、前記第１ＰＨＹヘッダーよりも情報量が多い第２ＰＨＹヘッダーを前記ＰＨＹヘッダーとして送信する、送信部、を備える。
【図面の簡単な説明】
【０００７】
【図１】無線通信に用いられるパケット構成を示す図。
【図２】一実施形態に係る無線通信装置の機能を示すブロック図。
【図３】ＨＡＲＱの無線通信の概略を示す図。
【図４】無線通信装置の処理を示すフローチャート。
【図５】一実施形態に係るパケットデータのデータ構造を示す図。
【図６】一実施形態に係る再送パケットの処理時間の概略を示す図。
【図７】一実施形態に係るＰＨＹヘッダーの変調方法を示す図。
【図８】一実施形態に係るフレーム集約したパケットデータを示す図。
【図９】一実施形態に係るアクセスポイントまたは端末の機能ブロック図。
【図１０】一実施形態に係る端末またはアクセスポイントの全体構成の例を示す図。
【図１１】一実施形態に係る端末またはアクセスポイントに搭載される無線通信装置のハードウェア構成例を示す図。
【図１２】一実施形態に係る端末またはアクセスポイントの機能ブロック図。
【図１３】一実施形態に係る端末の斜視図。
【図１４】一実施形態に係るメモリーカードを示す図。
【図１５】一実施形態に係るコンテンション期間のフレーム交換の一例を示す図。
【発明を実施するための形態】
【０００８】
以下、図面を参照しながら、本発明の実施形態について説明する。以下に説明する全ての実施形態は、ＨＡＲＱを効率化する無線通信装置に関する。
【０００９】
無線パケット通信における帯域利用効率の改善手法の１つにＨＡＲＱが用いられている。このＨＡＲＱは、例えば、ＨＳＤＰＡ（High Speed Downlink Packet Access）やＬＴＥ（Long Term Evolution）といった無線通信において使用されている。ＨＡＲＱにおいては、受信機側で誤りが発生した場合に、送信機側から再送パケットを送信し、受信機側で信頼性情報を合成することにより信号品質を改善する。信頼性技術としては、対数尤度（ＬＬＲ：Log Likelihood Ratio）を合成して信号品質を改善する方法がある。ＨＡＲＱにおいては、２つの方式が主に用いられている。
【００１０】
１つ目の方式は、ＣＣ（Chase Combining）方式である。ＣＣ方式では、送信機は、初回の送信パケット（以下、初送パケットと呼ぶ）と再送パケットとで同じデータを送信し、受信機において尤度合成を行う方式である。この尤度合成によって雑音の影響を軽減し、受信信号の品質を改善することが可能となる。
【００１１】
２つ目の方式は、ＩＲ（Incremental Redundancy）方式である。ＩＲ方式では、送信機は、初送パケットと再送パケットとで、一部または全部が異なるデータを送信する。初送パケットで冗長符号化された信号を送信し、受信機において誤り訂正が不可能であった場合に、送信機から再送パケットで追加の冗長信号を送信する。受信機において、初送パケットの尤度と再送パケットの尤度とを合成することにより、誤り訂正能力を向上させ、受信性能を改善することが可能となる。本実施形態は、上記の２つのＣＣ方式、ＩＲ方式のいずれにも適用することが可能である。
【００１２】
図１は、無線通信パケットとして一般的に用いられているパケット構成を示す図である。パケットは、その先頭にＰＨＹヘッダー５００、続いてＰＨＹデータ５５０を備える。ＰＨＹデータ５５０は、ＭＡＣヘッダー６００と、ペイロード６５０と、を備える。ＰＨＹデータ５５０は、さらに、４バイトのＦＣＳ（Frame Check Sequence）と呼ばれる誤り検出のビット（シーケンス）が備えられてもよい。ＰＨＹデータ５５０は、ＭＡＣフレームとも呼ばれる。
【００１３】
ＰＨＹヘッダー５００は、物理層（Physical Layer）の信号処理に必要な情報が格納される。ＭＡＣヘッダー６００は、ＭＡＣ層（Media Access Control Layer）の信号処理に必要な情報が格納される。受信機では、これらのヘッダーに格納された情報を読み取り、その後、ペイロード６５０の復号処理（以下、デコードと呼ぶ）が行われる。
【００１４】
図２は、本実施形態に係る無線通信装置１の機能を示すブロック図である。無線通信装置１は、送信部１０と、受信部２０と、制御部３０と、無線部４０と、を備える。
【００１５】
送信部１０は、パケットデータ生成部１００と、ＡＣＫ／ＮＡＣＫ送信部１０３と、送信済パケット記憶部１０４とを備え、無線信号の送信を行う。
【００１６】
パケットデータ生成部１００は、ＰＨＹヘッダー生成部１０１と、エンコーダ１０２とを備え、送信するパケットデータの生成を行う。本実施形態において詳細についての説明は省略するが、パケットデータ生成部１００は、この他に、ＭＡＣヘッダー６００の生成を行うＭＡＣヘッダー生成部や、ペイロード６５０のデータを取得するデータ取得部等、パケットデータ生成に必要な部位を備えていてもよい。
【００１７】
ＰＨＹヘッダー生成部１０１は、パケットデータに含まれるＰＨＹヘッダー５００の生成を行う。このＰＨＹヘッダー生成部１０１の動作については、後述にて詳しく説明する。
【００１８】
エンコーダ１０２は、パケットデータの符号化を実行する。符号化には、様々な方法が考えられるが、本実施形態では符号化について特に限定するものではない。また、エンコーダ１０２は、ペイロード６５０のデータのスクランブルや、暗号化等を実行してもよい。さらに、ＭＡＣフレームを集約する場合には、これらのフレームを集約する処理を行ってもよい。
【００１９】
ＡＣＫ／ＮＡＣＫ送信部１０３は、受信部２０がデータを受信した場合に、受信が正常に行われたか否かを示す信号を送信する。受信が正常に行われた場合には、ＡＣＫ（肯定応答：Acknowledgement）パケットを、当該信号を送信した無線通信装置に向けて送信し、受信が正常に行われなかった場合には、ＡＣＫパケットを送信しない。別の方法としては、受信が正常に行われた場合には、何も送信せずに、受信が正常に行われなかった場合には、ＮＡＣＫ（否定応答：Negative Acknowledgement）パケットを、当該信号を送信した無線通信装置に向けて送信する。また、ＡＣＫパケットとＮＡＣＫパケットの双方を利用するようにしてもよい。
【００２０】
ＡＣＫパケットまたはＮＡＣＫパケットは、初送パケットを受信してから一定時間以内に返送する。ＡＣＫパケット送信までの時間間隔は、無線通信の規格で定義されており、例えば、ＩＥＥＥ８０２．１１ａｃ等の無線ＬＡＮ（Local Area Network）においては、ＳＩＦＳ（Short Inter Frame Space）時間として規定されている。ＳＩＦＳ時間は規格により異なる時間間隔として定義され、例えば、ＩＥＥＥ８０２．１１ａｃでは、１６ｕｓｅｃとして定義されている。
【００２１】
送信済パケット記憶部１０４は、送信部１０から送信されたパケットデータを記憶する。記憶したパケットデータは、再送の際に利用されてもよい。
【００２２】
受信部２０は、ＰＨＹヘッダー解析部２００と、尤度合成部２０１と、デコーダ２０２と、ＡＣＫ／ＮＡＣＫ受信部２０３と、受信済パケット記憶部２０４と、を備え、無線信号の受信を行う。
【００２３】
ＰＨＹヘッダー解析部２００は、受信したパケットデータにおいてＰＨＹヘッダー５００の解析を行う。このＰＨＹヘッダー解析部２００の動作については、後述にて詳しく説明する。
【００２４】
尤度合成部２０１は、再送パケットを受信した際に、ペイロード６５０のデータが正常に受信できているか否かを、ペイロード６５０のデータにおいて尤度合成を行うことにより判断する。
【００２５】
デコーダ２０２は、受信したパケットの復号化を実行する。復号化も、符号化と対応して様々な方法が考えられる。エンコーダ１０２と同様に、デコーダ２０２は、ペイロード６５０のデスクランブル等を実行する。
【００２６】
ＡＣＫ／ＮＡＣＫ受信部２０３は、受信機から発信されたＡＣＫ／ＮＡＣＫ信号を受信する。送信機のＡＣＫ／ＮＡＣＫ受信部２０３において、受信機のＡＣＫ／ＮＡＣＫ送信部１０３から送信されたＡＣＫ信号またはＮＡＣＫ信号を受信することにより、送信されたパケットデータが正常に受信されたか否かを判断することが可能となる。あるいは、想定時間内にＡＣＫ信号が返送されてくるか否かによって、パケットデータが正常に受信されたかどうかを判断する。
【００２７】
受信済パケット記憶部２０４は、既に受信されているパケットデータを記憶する。記憶したパケットデータは、再送パケットが受信された際に利用されてもよい。
【００２８】
送信済パケット記憶部１０４および受信済パケット記憶部２０４は、ＤＲＡＭ（Dynamic Random Access Memory）、ＳＲＡＭ（Static Random Access Memory）等の揮発性メモリでもよいし、ＮＡＮＤメモリ、ＭＲＡＭ（Magnetoresistive Random Access Memory）等の不揮発メモリでもよいし、あるいは、レジスタ回路でもよい。
【００２９】
制御部３０は、無線通信装置１の上記の処理を制御し、および、その他の必要な処理を行う。その他の必要な処理とは、例えば、受信したパケットデータを必要な計算機等へと出力する処理である。また、例えば、ＴＣＰ／ＩＰまたはＵＤＰ／ＩＰの処理を制御部３０で行い、それより上位のアプリケーション層の処理を上位層で行ってもよい。上位層の処理は、ＣＰＵ（Central Processing Unit）等のプロセッサによるソフトウェア（プログラム）によって行われてもよいし、ハードウェアによって行われてもよいし、ソフトウェアとハードウェアの両方によって行われてもよい。このように、この制御部３０は、ＣＰＵ等を備えていてもよいし、より簡易な回路で設計されていてもよい。
【００３０】
また、制御部３０は、主として、ＭＡＣ層の処理、および物理層の処理の全部または一部を行う。制御部３０は、ＵＬ−ＭＵに関する処理を行うＵＬ−ＭＵ処理部や、フレームまたはパケットのＣＲＣ検査を行うＣＲＣ検査部を備えていてもよい。
【００３１】
無線部４０は、送信部１０からのパケットデータを電波へと変換して送信し、電波として外部から受信したパケットデータを、信号へと変換して受信部２０へと出力する。この無線部４０は、電波を送受信するためのアンテナ４１を備えていてもよい。アンテナ４１は、チップアンテナでもよいし、プリント基板上に配線により形成したアンテナでもよいし、線状の導体素子を利用して形成したアンテナでもよい。
【００３２】
図３は、送信側の無線通信装置１Ａと、受信側の無線通信装置１Ｂとの間のＨＡＲＱを用いた無線通信の概略を示す図である。無線通信装置１Ａ、１Ｂの下部にある直線は、時間の流れを示し、図面上から下へと向かって時間が経過していることを示す。以下、特に断りのない限り、送信側の無線通信装置１およびその要素には、符号Ａを付し、受信側の無線通信装置１およびその要素には、符号Ｂを付す。
【００３３】
まず、無線通信装置１Ａは、送信部１０Ａから、無線通信装置１Ｂへと初送パケットであるパケットデータを送信する。なお、このパケットの送信は、無線通信装置１Ａから無線通信装置１Ｂへと指向性を持って送信するには限られず、無線通信装置１Ａは、ブロードキャスト等によりパケットデータを発信してもよい。
【００３４】
無線通信装置１Ｂは、受信部２０Ｂにおいて初送パケットを受信し、当該初送パケットの復号処理を行う。初送パケットであるか否かの判断は、例えば、ＰＨＹヘッダー５００等に記録されているデータから読み取る。
【００３５】
復号処理において復号エラーがない場合には、無線通信装置１Ｂは、送信部１０Ｂを介して、ＡＣＫパケットを無線通信装置１Ａへと送信する。復号エラーがある場合には、ＡＣＫパケットを返信しないか、または、図示しないＮＡＣＫパケットを送信する。無線通信装置１ＢにおけるＡＣＫ／ＮＡＣＫパケットの送信も、無線通信装置１Ａのパケットの送信と同様に、指向性があってもよいし、ブロードキャスト等によるものであってもよい。上述したように、ＡＣＫ／ＮＡＣＫパケットが送信される場合、無線通信装置１Ｂは、ＳＩＦＳ時間内にＡＣＫ／ＮＡＣＫパケットを送信する。
【００３６】
また、無線通信装置１Ｂは、復号エラーが発生した場合には、上記の対応とともに、ペイロード６５０の尤度を、受信済パケット記憶部２０４に保存する。別の例としては、ペイロード６５０のデータを受信済パケット記憶部２０４に保存してもよい。
【００３７】
無線通信装置１Ａは、ＡＣＫ／ＮＡＣＫ受信部２０３Ａが受信した無線通信装置１ＢからのＡＣＫ／ＮＡＣＫパケットの受信状態に基づいて、無線通信装置１Ｂにおいて初送パケットの受信が成功したか失敗したかを判断する。無線通信装置１Ｂにおいて初送パケットの受信が成功したと判断した場合、無線通信装置１Ａは、既に送信した初送パケットに関する処理を終了し、次のパケットの送受信等の処理へと移行する。
【００３８】
一方、無線通信装置１Ｂにおいて初送パケットの受信が失敗したと判断した場合、無線通信装置１Ａは、再送パケットを送信する。この再送パケットは、無線通信装置１Ａの送信部１０Ａにおいて、再送パケットである旨のデータ、および、再送パケット用の冗長パケット等が付されて送信される。このパケットデータは、初送パケットと同じく、パケットデータ生成部１００が生成する。なお、無線通信装置１Ａは、初送パケットと再送パケットとで各々のパケットデータを生成する生成部を別のものとして備えていてもよい。
【００３９】
無線通信装置１Ｂは、再送パケットを受信後、再送パケットに含まれるＰＨＹヘッダー５００やＭＡＣヘッダー６００をデコードし、受信パケットが初送パケットであるか、再送パケットであるかを判断する。
【００４０】
再送パケットであると判断されると、無線通信装置１Ｂは、尤度合成部２０１Ｂにおいて尤度合成を行った後に、デコーダ２０２Ｂにおいてデコード処理を実行する。この尤度合成部２０１Ｂにおける尤度合成により、受信信号の品質が改善され、再送パケットにおける復号エラーがなくなったと判断すると、再送パケットの受信が終わってからＳＩＦＳ時間が経過した後に、ＡＣＫ／ＮＡＣＫ送信部１０３ＢからＡＣＫパケットを送信する。
【００４１】
このようなＨＡＲＱの処理においては、再送パケットの受信の際に、無線通信装置１Ｂ側で、「受信パケットが初送パケットではなく再送パケットである」という判断をすることが重要となる。この判断が間違えていると、適切な尤度合成およびデコード処理を行うことが困難となる。無線通信装置１Ｂでは、ＰＨＹヘッダー５００およびＭＡＣヘッダー６００を復号して必要な情報を取得し、再送パケットか否かの判断を行う。
【００４２】
受信パケットが自装置宛の再送データであるか否かを判断するために必要な情報としては、例えば、宛先ＩＤ情報、再送フラグ等が挙げられる。さらに、パケット信号がスクランブルされる部分を含む通信方式の場合、スクランブル初期値の情報も必要となる。無線ＬＡＮでは、パケット毎にスクランブルの初期値を変えた送信が許されているため、初送パケットと再送パケットとで送信されるオリジナルのデータが同じ場合であっても、実際の受信信号のデータ列は異なる系列にスクランブルされている可能性がある。受信機側の無線通信装置１Ｂにおいて尤度合成を実行するためには、スクランブルされた系列を元に戻すデスクランブル処理を行う必要があり、そのためにはスクランブル初期値の情報が必要となる。
【００４３】
上述したように、ＨＡＲＱの受信処理においては、受信側の無線通信装置１Ｂにおいて、宛先ＩＤ情報や再送フラグ等に基づいて受信パケットが再送パケットか否かを判断するので、この処理に起因した遅延が発生する。このため、ＨＡＲＱを用いる場合の受信処理は、ＨＡＲＱを用いない場合の受信処理よりも、処理遅延が大きくなる。この処理遅延が大きくなるとＳＩＦＳ時間内にＡＣＫパケットを生成することが困難となり、正常な無線パケット通信ができなくなる。処理遅延を少なくするためには、受信側の無線通信装置１Ｂにおいて、再送パケットであるか否かを判断する処理を速く行い、尤度合成をするための事前準備に係る時間を確保することが重要となる。
【００４４】
このＨＡＲＱの初送パケットの送信から再送パケットの受信までの処理についてフローチャートを用いて説明する。図４は、あるパケットデータが送信される場合における、送信側の無線通信装置１Ａおよび受信側の無線通信装置１Ｂの処理を示すフローチャートである。なお、この図４においては、１つのパケットデータについて記載しているが、これには限られず、無線通信装置１Ａ、１Ｂは、絶えず他の無線通信装置１との間で割り込み処理等を行っていてもよい。
【００４５】
まず、無線通信装置１Ａのパケットデータ生成部１００Ａは、初送パケットに係るパケットデータを生成する（Ｓ１００）。パケットデータは、ペイロード６５０のスクランブルを含むエンコードを行うことにより生成される。
【００４６】
次に、無線通信装置１Ａの送信部１０Ａは、無線部４０Ａを介して、生成したパケットデータを送信する（Ｓ１０２）。このタイミングにおいて、送信済パケット記憶部１０４Ａに送信する（送信した）パケットのデータを記憶する。
【００４７】
次に、無線通信装置１Ｂの受信部２０Ｂは、無線部４０Ｂを介して、無線通信装置１Ａから送信されたパケットを受信する（Ｓ２０４）。なお、無線通信装置１は、１対１で通信しているものには限られないので、例えば、ＭＡＣヘッダー６００の情報から、受信したデータの送信元が無線通信装置１Ａであることを認識する。
【００４８】
次に、無線通信装置１ＢのＰＨＹヘッダー解析部２００Ｂは、受信したパケットデータが初送パケットであるか否かを判断する（Ｓ２０６）。
【００４９】
受信したパケットデータが初送パケットであった場合（Ｓ２０６：ＹＥＳ）、受信を引き続き行い、受信が成功したか否かを判断する（Ｓ２１０）。受信したパケットデータが初送パケットではなかった場合、すなわち、受信したパケットデータが再送パケットであった場合（Ｓ２０６：ＮＯ）、無線通信装置１Ｂの尤度合成部２０１Ｂが再送パケットにおいて尤度合成を行った（Ｓ２０８）後に、受信が成功したか否かを判断する（Ｓ２１０）。
【００５０】
受信が成功した場合（Ｓ２１０：ＹＥＳ）、無線通信装置１ＢのＡＣＫ／ＮＡＣＫ送信部１０３は、ＡＣＫパケットを送信する（Ｓ２１２）。受信が失敗した場合（Ｓ２１０：ＮＯ）、無線通信装置１Ｂは、受信待ち状態へと移行する。なお、ＡＣＫ送信ではなく、ＮＡＣＫ送信をする場合には、受信が成功した場合に処理を終了し、受信が失敗した場合にＮＡＣＫパケットを送信した後、受信待ち状態へと移行する。
【００５１】
無線通信装置１Ａは、無線通信装置１ＢからのＡＣＫパケットをＡＣＫ／ＮＡＣＫ受信部２０３Ａにおいて受信した場合（Ｓ１１４：ＹＥＳ）、送信処理が正常に終了したものであると判断して処理を終了する。
【００５２】
一方で、所定の時間、例えば、パケットを送信してからＳＩＦＳ時間よりも十分長い時間経過後に、ＡＣＫパケットを受信しなかった場合（Ｓ１１４：ＮＯ）、無線通信装置１Ａは、パケットの送信に失敗したものと判断し、パケットデータ生成部１００において再送パケットを生成する（Ｓ１１６）。そして、パケット送信処理（Ｓ１０２）から、処理が繰り返される。
【００５３】
以下の実施形態の説明においては、初送パケットか再送パケットかの識別情報の埋め込みに関して説明する。
【００５４】
（第１実施形態）
本実施形態に係る無線通信装置１は、ＨＡＲＱ処理に必要な情報をパケットの先頭部であるＰＨＹヘッダー５００に格納し、パケットデータを受信した場合に、当該パケットデータが再送パケットであるか否かを判断する処理を迅速に行い、尤度合成を行うための前処理のタイミングを早くし、ひいては、ＳＩＦＳ時間内に十分に間に合うように尤度合成を行おうとするものである。
【００５５】
図５は、本実施形態に係る再送パケットであるフラグの格納される場所を示す図である。図５（ａ）は、初送パケットにおけるデータ構造を示す図であり、図５（ｂ）は、再送フラグを備える再送パケットにおけるデータ構造を示す図である。なお、以下、データ構造の図において、その長さの比率は実際のデータの長さの比率を表すものではない。これらの図を比較して分かるように、本実施形態においては、初送パケットと再送パケットとは異なるフレーム構成を有する。
【００５６】
図５（ａ）に示すように、初送パケットは、第１ＰＨＹヘッダー５１０と、ＭＡＣヘッダー６００と、ペイロード６５０とを備える。第１ＰＨＹヘッダー５１０には、一般的なＰＨＹヘッダーに備えられる情報の他に、リトライフィールドが備えられる。例えば、第１ＰＨＹヘッダー５１０における第１シグナルフィールド５１２内にリトライフィールド５１４が備えられる。
【００５７】
このリトライフィールド５１４は、最低１ビットあればよく、例えばリトライフィールド５１４が１ビットである場合、初送パケットであれば０、再送パケットであれば１のように値が決められる。このようなリトライフィールド５１４の値の設定は、送信側の無線通信装置１ＡのＰＨＹヘッダー生成部１０１Ａが実行する。エンコーダ１０２Ａは、この情報を含むパケットデータをエンコードし、パケットデータを生成する。リトライフィールドは、ＰＨＹヘッダー内において、使用されている以外のどの箇所に備えられてもよいが、例えば、規格上特定の用途に使用されていないビットまたはフィールドを使用する。
【００５８】
受信側の無線通信装置１ＢのＰＨＹヘッダー解析部２００Ｂにおいて、このリトライフィールド５１４の値を参照することにより、受信したパケットが初送パケットであるか、再送パケットであるかを判断することが可能となる。
【００５９】
図５（ｂ）に示すように、再送パケットは、第２ＰＨＹヘッダー５２０と、ＭＡＣヘッダー６００と、ペイロード６５０とを備える。第２ＰＨＹヘッダー５２０には、一般的なＰＨＹヘッダーに備えられる情報の他に、リトライフィールド５２４および拡張シグナルフィールド５２６を備える。リトライフィールド５２４は、初送パケットの場合と同様に、第２ＰＨＹヘッダー５２０の第２シグナルフィールド５２２内に備えられ、当該パケットが初送パケットであるか再送パケットであるかを示す値が格納される。
【００６０】
受信側の無線通信装置１ＢのＰＨＹヘッダー解析部２００Ｂにおいて、リトライフィールド５１４の値を参照し、受信したパケットを再送パケットであると判断した場合、尤度合成部２０１Ｂにより、当該受信パケットの尤度合成が実行される。
【００６１】
尤度合成に必要となるデータは、拡張シグナルフィールド５２６に格納されている。この拡張シグナルフィールド５２６には、ＨＡＲＱに必要である情報として、例えば、パケットのＩＤ（Identifier）情報やスクランブル初期値の情報（以下、ＨＡＲＱ情報とよぶ）が格納される。このような構成を取ることにより、受信処理において、ペイロード６５０にこれらの情報を格納している場合よりも早いタイミングにおいてＨＡＲＱ情報を取得することが可能となる。
【００６２】
この拡張シグナルフィールド５２６の値の設定も、リトライフィールドと同様に送信側の無線通信装置１Ａにおいて、ＰＨＹヘッダー生成部１０１Ａおよびエンコーダ１０２Ａにより実行される。このように、拡張シグナルフィールド５２６を設けることにより、再送パケットの情報量は、初送パケットの情報量よりも多く、すなわち、第２ＰＨＹヘッダー５２０のデータ長は、第１ＰＨＹヘッダー５１０のデータ長よりも長くなる。
【００６３】
図６は、再送パケットのデコード処理における各フィールドの処理時間の概略を示す図である。本実施形態および比較例のそれぞれの図において、上部に示しているのがパケットデータの受信を表し、下部の矢印がＰＨＹヘッダー解析部２００、尤度合成部２０１、デコーダ２０２等における処理時間を示す。
【００６４】
本実施形態に係る無線通信装置１では、第２ＰＨＹヘッダー５２０のうち、第２シグナルフィールド５２２と拡張シグナルフィールド５２６のデコードを、当該フィールドの受信をしたタイミングから開始する。これらのフィールドのデコード時間は、拡張シグナルフィールドの受信のタイミングとほぼ同時に終了する。この後に、ペイロード６５０の尤度合成を行うか否かの判断、および、尤度合成を行うための前処理が行われる。
【００６５】
すなわち、パケットデータにおいてこのシグナルフィールド内のリトライフィールドの値を読みとることにより、再送パケットであるか初送パケットであるかを判断する。続いて、再送パケットであると判断された場合には、デコードされた拡張シグナルフィールドのデータから、パケットＩＤ、スクランブル初期値等の情報を読み取る。また、宛先ＩＤが拡張シグナルフィールド５２６に格納されて入れば、受信したパケットデータが自無線装置宛のデータではない場合に、受信を中止することも可能となる。
【００６６】
ペイロードの受信が始まると、そのタイミングにおいて、受信済パケット記憶部２０４に格納されている初送パケットのペイロードのデータに基づいて、再送パケットの尤度合成が開始される。この尤度合成は、ペイロードの受信とともにほぼリアルタイムで行うことが可能となる。また、尤度合成と並行してペイロード部のデコード処理を行ってもよい。
【００６７】
受信が終了し、尤度合成が終了してから、図に示すように、ＡＣＫパケットを送信するまでのＳＩＦＳ時間がほぼそのままマージンとなり、無線通信装置１は、ＳＩＦＳ時間内に余裕を持ってＡＣＫパケットを送信することが可能となる。例えば、尤度合成が正常に終了した場合には、このマージンの時間に、ペイロード部のうちデコード処理が未完了の部分の処理を行う等、他の処理をより迅速に進めることも可能となる。
【００６８】
一方、比較例においては、初送パケットであるか再送パケットであるかの判断は、ＭＡＣヘッダー６００に格納されている。この場合、ＭＡＣヘッダー６００のデコードが終了するまで、すなわち、少なくともＭＡＣヘッダー６００の受信が終了するまで初送パケットであるか再送パケットであるかが不明である。この結果、ペイロードの尤度合成の判断および前処理は、少なくともＭＡＣヘッダー６００の受信が終了するまで行うことができない。尤度合成の判断および前処理の時間が本実施形態に係る無線通信装置１よりも遅延することにより、尤度合成が終了する時間がその分シフトする。この結果、尤度合成が終了してからＡＣＫパケットの送信までのマージンが本実施形態に係る無線通信装置１よりも短いものとなる。
【００６９】
このように、本実施形態に係る無線通信装置１は、比較例と比べ、パケットデータの受信が終了した後、ＡＣＫパケットの送信までのマージンが多く取れることとなり、例えば、尤度合成に関する処理遅延等の起こる可能性を低くすることが可能となる。
【００７０】
以上のように、本実施形態によれば、再送パケットの第２ＰＨＹヘッダー５２０にリトライフィールドおよび必要となる情報を格納し、第１ＰＨＹヘッダー５１０の情報量よりも多くのＨＡＲＱに必要な情報を格納することにより、尤度合成のための前処理のオーバーヘッドを抑制し、尤度合成を従来よりも早いタイミングで行うことが可能となり、さらに、初送パケットのＰＨＹヘッダーの情報量を変えずに、再送パケットのＰＨＹヘッダーに再送の場合に必要となるデータを備えることにより再送パケットではないパケットの通信効率を劣化させずに通信を行うことが可能となる。このように、尤度合成のための処理遅延の抑制、および、初送パケットにおける通信効率の確保を行うことにより、ＨＡＲＱの実装に伴うオーバーヘッドを抑制することができる。すなわち、初送パケットにおけるＰＨＹヘッダーの情報量増加（通信効率の劣化）を抑制するとともに、再送パケットにおいて効率的に尤度合成を実行できる。
【００７１】
この結果ＨＡＲＱによる受信性能の改善と、確実なＡＣＫ応答とを両立させることができる。また、処理時間が大きいと、その分だけデコード中のデータを一時的に保持するメモリ領域が別途必要となるが、本実施形態によれば、メモリ量の削減という効果も期待できる。さらに、受信処理の早い段階において、再送であるか否か、また、再送パケットのＰＨＹヘッダーに宛先ＩＤを格納しておくことにより、宛先ＩＤ情報等を取得することができるため、例えば、自無線通信装置宛ではないパケットであれば、受信処理を停止することも可能であり、無駄なデコード処理を省くことによる低消費電力化の効果も得ることが可能となる。
【００７２】
（第２実施形態）
前述の第１実施形態においては、ＰＨＹヘッダーにリトライフィールド設けることにより、受信したパケットデータが初送パケットであるか再送パケットであるかを判断するものであったが、本実施形態においては、初送パケットと再送パケットの変調方式を異なる変調方式とすることにより、受信したパケットデータが初送パケットに係るものであるのか、再送パケットに係るものであるのかを判断しようとするものである。
【００７３】
図７は、本実施形態に係るパケットデータの構成の一部を示す図である。図７（ａ）は、初送パケットに関する図であり、図７（ｂ）は、再送パケットに関する図である。
【００７４】
図７（ａ）に示すように、初送パケットは、第１ＰＨＹヘッダー５１０の第１シグナルフィールド５１２が第１変調方式、例えば、ＢＰＳＫ（Binary Phase Shift keying）により変調されている。ＢＰＳＫは、基準信号の位相を変調させることによりデータを伝達する手法の１つのであり、Ｉチャネル方向である０°および１８０°方向に位相を変調させることによりビットデータを伝達するものである。図中の白丸が、ビットの値を示す位相であり、例えば、０°（Ｉチャネルの正側）が０のビットを示し、１８０°（Ｉチャネルの負側）が１のビットを示す。
【００７５】
一方、図７（ｂ）に示すように再送パケットは、第２ＰＨＹヘッダー５２０の第２シグナルフィールド５２２が第１変調方式とは異なる第２変調方式、例えば、ＱＢＰＳＫ（Quadrature-BPSK）により変調されている。ＱＢＰＳＫは、ＢＰＳＫとは、９０°ずれた位相、すなわち、Ｑチャネル方向である９０°および２７０°方向に位相を変調させることによりビットデータを伝達するものである。
【００７６】
送信側の無線通信装置１Ａのパケットデータ生成部１００Ａは、上記のように、ＰＨＹヘッダーの一部であるシグナルフィールドの変調方式を異なる方式とする。このようにすることにより、前述の第１実施形態とは異なり、リトライフィールドを設けることなく、初送パケットと再送パケットとを区別し得るようにパケットデータを生成する。
【００７７】
一方、受信側の無線通信装置１ＢのＰＨＹヘッダー解析部２００Ｂは、受信したパケットデータにおけるシグナルフィールドの変調方式により、当該パケットデータが初送パケットであるか再送パケットであるかを判断する。
【００７８】
以上のように、本実施形態によれば、ＰＨＹヘッダーのシグナルフィールドの変調方式を初送パケットと再送パケットとにおいて異なるものとすることにより、リトライフィールドを設けることなく、初送パケットと再送パケットとを区別し得る態様において実装することが可能となる。このようにすることによりＰＨＹヘッダーの情報量を削減することが可能となり、余剰な情報が削減されるため、通信効率を改善することが可能となる。
【００７９】
なお、上記においては、シグナルフィールドの変調方式を異なるものにするようにしたが、これには限られない。例えば、ＰＨＹヘッダー全部の変調方式を異なるものとしてもよいし、再送パケットの拡張シグナルフィールドまでの変調方式としてもよい。さらには、ＰＨＹヘッダー内の所定の他のフィールドの変調方式を異なるものとし、当該他のフィールドの変調方式により初送パケットであるか再送パケットであるかを判断するようにしてもよい。
【００８０】
また、変調方式は、ＢＰＳＫ／ＱＢＰＳＫとしたが、これらには限られない。明確に区別し得る二つの変調方式であり、無線通信において使用される変調方式であれば、どのような二つの変調方式を選択してもよい。特に、ＢＰＳＫ／ＱＢＰＳＫを利用する場合、その振動方向が９０°異なるので、２つのパケットの区別が混同しづらいという利点がある。
【００８１】
（第３実施形態）
前述の各実施形態においては、フレーム集約がされず、各ＰＨＹヘッダーに対して１つのＭＡＣフレームのみを有するものについて説明したが、これには限られない。すなわち、複数のＭＡＣフレームを備えるパケットデータであっても、前述した実施形態は、適用することが可能である。
【００８２】
図８は、フレーム集約されたパケットデータの構成を示す図である。例えば、この図８（ａ）および図８（ｂ）においては、３つのＭＡＣフレームを集約したものをパケットデータとして通信に利用している。無線パケット通信では、このように、１つのパケットが複数のＭＡＣフレームと呼ばれるデータ単位から構成されることがある。
【００８３】
図８（ａ）は、３つのＭＡＣフレームを備える初送パケットの構成の一例を示す図である。初送フレームは、第１ＰＨＹヘッダー５１０と、例えば、第１ＭＡＣフレームを構成するＭＡＣヘッダー６０１およびペイロード６５１、第２ＭＡＣフレームを構成するＭＡＣヘッダー６０２およびペイロード６５２、並びに、第３ＭＡＣフレームを構成するＭＡＣヘッダー６０３およびペイロード６５３を備える。図示していないが各ＭＡＣフレームは、誤り検出のための冗長ビットを備えていてもよい。
【００８４】
送信側の無線通信装置１Ａは、無線部４０Ａを介してこのフレーム集約されたパケットデータを送信する。このパケットデータを受信した受信側の無線通信装置１Ｂは、各ＭＡＣフレームに対してデコード処理を行い、受信が成功したか否かを判断する。例えば、第１ＭＡＣフレームの受信には失敗し、第２ＭＡＣフレームおよび第３ＭＡＣフレームの受信には成功したとする。この場合、受信側の無線通信装置１ＢのＡＣＫ／ＮＡＣＫ送信部１０３Ｂは、各ＭＡＣフレームに対して受信が成功したか否かのＡＣＫを送信する。
【００８５】
このＡＣＫは、各々のフレームについて別々のＡＫＣを送信するようにしてもよいし、オーバーヘッドを削減するために、ＩＥＥＥ８０２．１１ｎにおいて採用されているブロックＡＣＫを送信するようにしてもよい。ブロックＡＣＫとは、最大６４ＫＢの無線フレームに対して、一括して１回のＡＣＫで応答するためのものである。このブロックＡＣＫでは、受信ステータスを示すビットを各ＭＡＣフレームに対して発行し、それぞれのフレームについて、受信が成功したか否かを通知する。
【００８６】
無線通信装置１ＡのＡＣＫ／ＮＡＣＫ受信部２０３Ａは、無線通信装置１Ｂが受信に失敗したＭＡＣフレームのフレーム番号（ＳＮ：Sequence Number）を、ブロックＡＣＫを受信することにより取得する。
【００８７】
例えば、図８（ａ）のように、第１ＭＡＣフレームのみ受信に失敗した場合、無線通信装置１Ａは、無線通信装置１Ｂから送信されたＡＣＫ情報を受信することにより、第１ＭＡＣフレームが受信に失敗し、第２ＭＡＣフレームおよび第３ＭＡＣフレームが受信に成功したという情報を取得する。このＡＣＫの受信結果に基づいて、無線通信装置１Ａは、第１ＭＡＣフレームないし第３ＭＡＣフレームのうち、第１ＭＡＣフレームを再送するように判断する。
【００８８】
無線通信装置１Ａは、再送する第１ＭＡＣフレームと、新たに送信する第４ＭＡＣフレームおよび第５ＭＡＣフレームとを集約して、パケットデータを生成し、送信する。図８（ｂ）は、再送するＭＡＣフレームを含む生成されたパケットデータの例を示す図である。再送するＭＡＣフレームを含む場合、ＰＨＹヘッダーとして拡張シグナルフィールド５２６を含む第２ＰＨＹヘッダー５２０を備えるパケットデータを生成する。
【００８９】
本実施形態において、拡張シグナルフィールド５２６には、ＭＡＣフレームを示す情報が格納される。ＭＡＣフレームを示す情報とは、例えば、集約したフレームのうちどのフレームが再送パケットであるかを示す情報であり、フレームサイズ、フレームの順番、および、ＳＮ等の情報である。この他の組み合わせの情報でもよく、初送パケットに対するどのフレームに対する再送パケットが、生成したパケットデータ中のどこに格納されているか等を示すことが可能な情報であればよい。
【００９０】
これらの情報が、例えば、フレームサイズ、フレームの順番、ＳＮの情報であるとする。この場合、無線通信装置１ＢのＰＨＹヘッダー解析部２００Ｂは、フレームの順番と、対応するＳＮの情報とから、何番目のフレームが再送パケットであるかを判断する。そして、各フレームのフレームサイズから、受信したパケットデータのうち、どの領域が再送パケットであるかを判断する。
【００９１】
図８（ｂ）は、ＭＡＣフレームの集約を行った再送パケットを含むパケットデータの構成例を示す図である。拡張シグナルフィールド５２６には、各ＭＡＣフレームのサイズ、ＭＡＣフレームの格納されている順番、および、ＳＮが格納されている。例えば、再送パケットは、第１ＭＡＣフレーム（ＭＡＣヘッダー６０１’およびペイロード６５１’）であり、集約されたＭＡＣフレームのうち、最初に格納され、続くＭＡＣフレームには、新たな初送パケットである第４ＭＡＣフレーム（ＭＡＣヘッダー６０４およびペイロード６５４）と、第５ＭＡＣフレーム（ＭＡＣヘッダー６０５およびペイロード６５５）とが格納されている。
【００９２】
なお、本実施形態において、再送パケットであるか否かは第２ＰＨＹヘッダー５２０にその情報が格納されているため、各ＭＡＣヘッダーに当該情報を格納する必要はない。このため、再送パケットである第１ＭＡＣフレームのＭＡＣヘッダー６０１’は、初送のＭＡＣヘッダー６０１と内容が同じものであっても構わない。一方、ペイロード６５１’は、例えば、ＨＡＲＱの方式がＣＣ方式である場合にはペイロード６５１と同じものであってもよく、ＩＲ方式である場合にはペイロード６５１とは異なるものであってもよい。
【００９３】
この場合、再送パケットは、集約されたＭＡＣフレームのうち、１番目のフレームであり、このフレームは、第１ＭＡＣフレームであり、フレームサイズのうち１番目のフレームのサイズまでが再送パケットであることを受信側で判断する。このように判断した上で、無線通信装置１Ｂの尤度合成部２０１は、第１ＭＡＣフレームの尤度合成を実行する。すなわち、ペイロード６５１’の尤度合成を行う。再送パケットであると判断された後の処理は、前述した第１実施形態で説明した処理に基づいて行うようにしてもよい。
【００９４】
そして、第１ＭＡＣフレームについて受信が成功したか否かを判断する。続いて、第４ＭＡＣフレームおよび第５ＭＡＣフレームについては、初送パケットとして、受信が成功したか否かを判断し、適切にＡＣＫ（ブロックＡＣＫ）を送信する。
【００９５】
このように、ＭＡＣフレームが集約されている場合においても、集約されたＭＡＣフレームのうち、受信に失敗したＭＡＣフレームの情報を適切に送受信する。受信に失敗したＭＡＣフレームの情報は、再送パケットを含むパケットデータにおいて、ＰＨＹヘッダーにその情報が格納される。受信側では、ＰＨＹヘッダーの情報を解析することにより、受信したパケットデータのうち、再送パケットがどこに格納されているかを判断することが可能となり、適切に尤度合成等、再送パケットに対する動作を行うことができる。
【００９６】
以上のように、本実施形態によれば、集約されたＭＡＣフレームに対しても、受信に失敗したフレームの情報を適切に送受信することが可能となる。この場合、再送フレームについての情報は、各ＭＡＣフレームのＭＡＣヘッダーではなく、フレーム集約したパケットデータのＰＨＹヘッダーに格納されるため、ＨＡＲＱを行う場合における処理遅延の問題を回避することが可能となる。フレームサイズやフレームの順番、およびＳＮ等のフレーム集約に関する情報をＰＨＹヘッダーに格納することにより、どのフレームを尤度合成すべきかを受信時の早い段階で判断することができるため、尤度合成の処理遅延を減らすことができる。
【００９７】
（第４実施形態）
前述した各実施形態においては、初送パケットと再送パケットとでＨＡＲＱの方式が同じ通信方式で実行されているものである。本実施形態はこれには限られず、初送パケットと再送パケットとにおいて、ＨＡＲＱの方式を変更しても対応できるようにしようとするものである。
【００９８】
前述したように、ＨＡＲＱの方式には、再送パケットを送信する方式として、ＣＣ方式とＩＲ方式の２つの方式がある。この方式の違いは、再送パケットを受信した場合における尤度合成の処理方法の違いとして現れる。すなわち、再送パケットを受信したタイミングにおいてこれらの方式が変更された場合、適切に尤度合成されない可能性がある。そこで、本実施形態においては、この方式に関する情報をＰＨＹヘッダーに格納する。
【００９９】
例えば、図５に示すように、前述した実施形態においては、リトライフィールドをパケットデータのＰＨＹヘッダーに設け、初送パケットであるか再送パケットであるかを判断する。本実施形態においては、このＰＨＹヘッダーのシグナルフィールドに、ＨＡＲＱの方式を示す情報を格納する。
【０１００】
ＨＡＲＱの方式は、ＣＣ方式と、ＩＲ方式とが知られているが、他の方式であっても構わない。ＣＣ方式とＩＲ方式を用いる場合、ＣＣ方式のみ、ＩＲ方式のみ、および、ＣＣ・ＩＲ併用方式が適用できる。このような場合、例えば、ＰＨＹヘッダー内に２ビットの方式を示す領域を設け、ＣＣ方式であれば０、ＩＲ方式であれば１、ＣＣ・ＩＲ併用方式であれば２とする。これには限られず、ビットフラグで示してもよく、この場合、例えば、ＣＣ方式であれば１、ＩＲ方式であれば２、ＣＣ・ＩＲ併用方式であれば３とする。また、２ビットである必要はなく、冗長化等のためのビットを付してもよい。
【０１０１】
送信側の無線通信装置１Ａのパケットデータ生成部１００Ａは、このようなビット情報を含んだＰＨＹヘッダーを生成し、受信側の無線通信装置１ＢのＰＨＹヘッダー解析部２００Ｂは、このビット情報から、ＨＡＲＱの方式を判断する。そして、判断した結果に基づいて、尤度合成部２０１Ｂが尤度合成を行うことにより、通信の信頼性を向上する。
【０１０２】
さらに、ＩＲ方式の場合であれば、冗長信号が再送されることから、冗長信号の符号化率の情報や、パンクチャビットの情報を格納しておいてもよい。なお、図５を用いて説明したが、図７のように、ＰＨＹヘッダーの一部の変調方式を変えることにより初送パケットか再送パケットかを表すようなリトライフィールドを備えない構成であってもよい。
【０１０３】
以上のように、本実施形態によれば、初送パケットと再送パケットにおいてＨＡＲＱの方式が変わった場合においても、受信側で適切なＨＡＲＱの尤度合成処理を行うことが可能となり、再送パケットにおける尤度合成を行う際のオーバーヘッドを抑制することが可能となる。
【０１０４】
以上説明した各実施形態は、ＨＡＲＱに限らず、データを送信し、受信側において当該データの尤度合成を行う通信において応用することが可能である。もちろん、この通信は、無線通信に限られたものではなく、有線通信にも用いることができる。また、１つの装置内におけるバスを介したモジュール間の通信等に用いることも可能であるし、組み込み装置を含む系において、組み込んだ装置と組み込まれた装置との間で行う通信に用いることも可能である。
【０１０５】
（第５実施形態）
図９は、本実施形態に係る基地局（アクセスポイント）４００の機能ブロック図である。このアクセスポイントは、通信処理部４０１と、送信部４０２と、受信部４０３と、アンテナ４２Ａ、４２Ｂ、４２Ｃ、４２Ｄと、ネットワーク処理部４０４と、有線Ｉ／Ｆ４０５と、メモリ４０６とを備えている。アクセスポイント４００は、有線Ｉ／Ｆ４０５を介して、サーバ４０７と接続されている。通信処理部４０１およびネットワーク処理部４０４の少なくとも前者は、第１の実施形態で説明した制御部と同様な機能を有している。送信部４０２および受信部４０３は、第１の実施形態で説明した送信部および受信部と同様な機能を有している。または、送信部４０２および受信部４０３が、第１の実施形態の送信部および受信部のアナログ領域の処理に対応し、第１の実施形態の送信部および受信部のデジタル領域の処理は、通信処理部４０１に対応してもよい。ネットワーク処理部４０４は、上位処理部と同様な機能を有している。ここで、通信処理部４０１は、ネットワーク処理部４０４との間でデータを受け渡しするためのバッファを内部に保有してもよい。このバッファは、ＤＲＡＭ等の揮発性メモリでもよいし、ＮＡＮＤ、ＭＲＡＭ等の不揮発メモリでもよい。
【０１０６】
ネットワーク処理部４０４は、通信処理部４０１とのデータ交換、メモリ４０６とのデータ書き込み・読み出し、および、有線Ｉ／Ｆ４０５を介したサーバ４０７との通信を制御する。ネットワーク処理部４０４は、ＴＣＰ／ＩＰやＵＤＰ／ＩＰなど、ＭＡＣ層の上位の通信処理やアプリケーション層の処理を行ってもよい。ネットワーク処理部の動作は、ＣＰＵ等のプロセッサによるソフトウェア（プログラム）の処理によって行われてもよいし、ハードウェアによって行われてもよいし、ソフトウェアとハードウェアの両方によって行われてもよい。
【０１０７】
一例として、通信処理部４０１は、ベースバンド集積回路に対応し、送信部４０２と受信部４０３は、フレームを送受信するＲＦ集積回路に対応する。通信処理部４０１とネットワーク処理部４０４とが１つの集積回路（１チップ）で構成されてもよい。送信部４０２および受信部４０３のデジタル領域の処理を行う部分とアナログ領域の処理を行う部分とが異なるチップで構成されてもよい。また、通信処理部４０１が、ＴＣＰ／ＩＰやＵＤＰ／ＩＰなど、ＭＡＣ層の上位の通信処理を実行するようにしてもよい。また、アンテナの個数はここでは４つであるが、少なくとも１つのアンテナを備えていればよい。
【０１０８】
メモリ４０６は、サーバ４０７から受信したデータや、受信部４０３で受信したデータの保存等を行う。メモリ４０６は、例えば、ＤＲＡＭ等の揮発性メモリでもよいし、ＮＡＮＤ、ＭＲＡＭ等の不揮発メモリでもよい。また、ＳＳＤやＨＤＤ、ＳＤカード、ｅＭＭＣ等であってもよい。メモリ４０６が、基地局４００の外部にあってもよい。
【０１０９】
有線Ｉ／Ｆ４０５は、サーバ４０７とのデータの送受信を行う。本実施形態では、サーバ４０７との通信を有線で行っているが、サーバ４０７との通信を無線で実行するようにしてもよい。
【０１１０】
サーバ４０７は、データの送信を要求するデータ転送要求を受けて、要求されたデータを含む応答を返す通信装置であり、例えばＨＴＴＰサーバ（Ｗｅｂサーバ）、ＦＴＰサーバ等が想定される。ただし、要求されたデータを返す機能を備えている限り、これに限定されるものではない。ＰＣやスマートフォン等のユーザが操作する通信装置でもよい。また、基地局４００と無線で通信してもよい。
【０１１１】
基地局４００のＢＳＳに属するＳＴＡが、サーバ４０７に対するデータの転送要求を発行した場合、このデータ転送要求に関するパケットが、基地局４００に送信される。基地局４００は、アンテナ４２Ａ〜４２Ｄを介してこのパケットを受信し、受信部４０３で物理層の処理等を、通信処理部４０１でＭＡＣ層の処理等を実行する。
【０１１２】
ネットワーク処理部４０４は、通信処理部４０１から受信したパケットの解析を行う。具体的には、宛先ＩＰアドレス、宛先ポート番号等を確認する。パケットのデータがＨＴＴＰ  ＧＥＴリクエストのようなデータ転送要求である場合、ネットワーク処理部４０４は、このデータ転送要求で要求されたデータ（例えば、ＨＴＴＰ  ＧＥＴリクエストで要求されたＵＲＬに存在するデータ）が、メモリ４０６にキャッシュ（記憶）されているかを確認する。メモリ４０６には、ＵＲＬ（またはその縮小表現、例えばハッシュ値や、代替となる識別子）とデータとを対応づけたテーブルが格納されている。ここで、データがメモリ４０６にキャッシュされていることを、メモリ４０６にキャッシュデータが存在すると表現する。
【０１１３】
メモリ４０６にキャッシュデータが存在しない場合、ネットワーク処理部４０４は、有線Ｉ／Ｆを４０５介して、サーバ４０７に対してデータ転送要求を送信する。つまり、ネットワーク処理部４０４は、ＳＴＡの代理として、サーバ４０７へデータ転送要求を送信する。具体的には、ネットワーク処理部４０４は、ＨＴＴＰリクエストを生成し、ＴＣＰ／ＩＰヘッダーの付加などのプロトコル処理を行い、パケットを有線Ｉ／Ｆ４０５へ渡す。有線Ｉ／Ｆ４０５は、受け取ったパケットをサーバ４０７へ送信する。
【０１１４】
有線Ｉ／Ｆ４０５は、データ転送要求に対する応答であるパケットをサーバ４０７から受信する。ネットワーク処理部４０４は、有線Ｉ／Ｆ４０５を介して受信したパケットのＩＰヘッダーから、ＳＴＡ宛のパケットであることを把握し、通信処理部４０１へパケットを渡す。通信処理部４０１はこのパケットに対するＭＡＣ層の処理等を、送信部４０２は物理層の処理等を実行し、ＳＴＡ宛のパケットをアンテナ４２Ａ〜４２Ｄから送信する。ここで、ネットワーク処理部４０４は、サーバ４０７から受信したデータを、ＵＲＬ（またはその縮小表現）と対応づけて、メモリ４０６にキャッシュデータとして保存する。
【０１１５】
メモリ４０６にキャッシュデータが存在する場合、ネットワーク処理部４０４は、データ転送要求で要求されたデータをメモリ４０６から読み出して、このデータを通信処理部４０１へ送信する。具体的には、メモリ４０６から読み出したデータにＨＴＴＰヘッダー等を付加して、ＴＣＰ／ＩＰヘッダーの付加等のプロトコル処理を行い、通信処理部４０１へパケットを送信する。このとき、一例として、パケットの送信元ＩＰアドレスは、サーバと同じＩＰアドレスに設定し、送信元ポート番号もサーバと同じポート番号（通信端末が送信するパケットの宛先ポート番号）に設定する。したがって、ＳＴＡから見れば、あたかもサーバ４０７と通信をしているかのように見える。通信処理部４０１はこのパケットに対するＭＡＣ層の処理等を、送信部４０２は物理層の処理等を実行し、ＳＴＡ宛のパケットをアンテナ４２Ａ〜４２Ｄから送信する。
【０１１６】
このような動作により、頻繁にアクセスされるデータは、メモリ４０６に保存されたキャッシュデータに基づいて応答することになり、サーバ４０７と基地局４００間のトラフィックを削減できる。なお、ネットワーク処理部４０４の動作は、本実施形態の動作に限定されるものではない。ＳＴＡの代わりにサーバ４０７からデータを取得して、メモリ４０６にデータをキャッシュし、同一のデータに対するデータ転送要求に対しては、メモリ４０６のキャッシュデータから応答するような一般的なキャッシュプロキシであれば、別の動作でも問題はない。
【０１１７】
本実施形態の基地局（アクセスポイント）を、上述したいずれかの実施形態の基地局として適用することが可能である。上述したいずれかの実施形態で使ったフレーム、データまたはパケットの送信を、メモリ４０６に保存されたキャッシュデータを用いて実行して
もよい。また、上述したいずれかの実施形態の基地局が受信したフレーム、データまたはパケットで得られた情報を、メモリ４０６にキャッシュしてもよい。上述したいずれかの実施形態において、アクセスポイントが送信するフレームは、キャッシュされたデータまたは当該データに基づく情報を含んでもよい。データに基づく情報は、例えばデータのサイズに関する情報、データの送信に必要なパケットのサイズに関する情報でもよい。またデータの送信に必要な変調方式等の情報でもよい。また、端末宛のデータの有無の情報を含んでもよい。
【０１１８】
本実施形態の基地局（アクセスポイント）を、上述したいずれかの実施形態の基地局として適用することが可能である。本実施形態では、キャッシュ機能を備えた基地局について説明を行ったが、図９と同じブロック構成で、キャッシュ機能を備えた端末（ＳＴＡ）を実現することもできる。この場合、有線Ｉ／Ｆ４０５を省略してもよい。上述したいずれかの実施形態における端末によるフレーム、データまたはパケットの送信を、メモリ４０６に保存されたキャッシュデータを用いて実行してもよい。また、上述したいずれかの実施形態の端末が受信したフレーム、データまたはパケットで得られた情報を、メモリ４０６にキャッシュしてもよい。上述したいずれかの実施形態において、端末が送信するフレームは、キャッシュされたデータまたは当該データに基づく情報を含んでもよい。データに基づく情報は、例えばデータのサイズに関する情報、データの送信に必要なパケットのサイズに関する情報でもよい。またデータの送信に必要な変調方式等の情報でもよい。また、端末宛のデータの有無の情報を含んでもよい。
【０１１９】
（第６実施形態）
図１０は、端末（非アクセスポイントの端末）またはアクセスポイントの全体構成例を示したものである。この構成例は一例であり、本実施形態はこれに限定されるものではない。端末またはアクセスポイントは、１つまたは複数のアンテナ１〜ｎ（ｎは１以上の整数）と、無線ＬＡＮモジュール１４８と、ホストシステム１４９を備える。無線ＬＡＮモジュール１４８は、前述したいずれかの実施形態に係る無線通信装置に対応する。無線ＬＡＮモジュール１４８は、ホスト・インターフェースを備え、ホスト・インターフェースで、ホストシステム１４９と接続される。接続ケーブルを介してホストシステム１４９と接続される他、ホストシステム１４９と直接接続されてもよい。また、無線ＬＡＮモジュール１４８が基板にはんだ等で実装され、基板の配線を介してホストシステム１４９と接続される構成も可能である。ホストシステム１４９は、任意の通信プロトコルに従って、無線ＬＡＮモジュール１４８およびアンテナ１〜ｎを用いて、外部の装置と通信を行う。通信プロトコルは、ＴＣＰ／ＩＰと、それより上位の層のプロトコルと、を含んでもよい。または、ＴＣＰ／ＩＰは無線ＬＡＮモジュール１４８に搭載し、ホストシステム１４９は、それより上位層のプロトコルのみを実行してもよい。この場合、ホストシステム１４９の構成を簡単化できる。本端末は、例えば、移動体端末、ＴＶ、デジタルカメラ、ウェアラブルデバイス、タブレット、スマートフォン、ゲーム装置、ネットワークストレージ装置、モニタ、デジタルオーディオプレーヤ、Ｗｅｂカメラ、ビデオカメラ、プロジェクト、ナビゲーションシステム、外部アダプタ、内部アダプタ、セットトップボックス、ゲートウェイ、プリンタサーバ、モバイルアクセスポイント、ルータ、エンタープライズ／サービスプロバイダアクセスポイント、ポータブル装置、ハンドヘルド装置、自動車等でもよい。無線ＬＡＮモジュール１４８（または無線通信装置）は、ＩＥＥＥ８０２．１１に加え、ＬＴＥ（Long Term Evolution）またはＬＴＥ−Ａｄｖａｎｃｅｄ（ｓｔａｎｄａｒｄｓ  ｆｏｒ  ｍｏｂｉｌｅ  ｐｈｏｎｅｓ）のような他の無線通信規格の機能を備えていてもよい。
【０１２０】
図１１は、無線ＬＡＮモジュールのハードウェア構成例を示す。この構成は、無線通信装置が非アクセスポイントの端末およびアクセスポイントのいずれに搭載される場合にも適用可能である。つまり、前述したいずれかの実施形態における無線通信装置の具体的な構成の一例として適用できる。この構成例では、アンテナは１本のみであるが、２本以上のアンテナを備えていてもよい。この場合、各アンテナに対応して、送信系統（２１６、２２２〜２２５）、受信系統（２１７、２３２〜２３５）、ＰＬＬ２４２、水晶発振器（基準信号源）２４３およびスイッチ２４５のセットが複数配置され、各セットがそれぞれ制御回路２１２に接続されてもよい。ＰＬＬ２４２または水晶発振器２４３またはこれらの両方は、本実施形態に係る発振器に対応する。
【０１２１】
無線ＬＡＮモジュール（無線通信装置）は、ベースバンドＩＣ（Integrated Circuit）２１１と、ＲＦ（Radio Frequency）ＩＣ２２１と、バラン２２５と、スイッチ２４５と、アンテナ２４７とを備える。
【０１２２】
ベースバンドＩＣ２１１は、ベースバンド回路（制御回路）２１２、メモリ２１３、ホスト・インターフェース２１４、ＣＰＵ２１５、ＤＡＣ（Digital to Analog Converter）２１６、およびＡＤＣ（Analog to Digital Converter）２１７を備える。
【０１２３】
ベースバンドＩＣ２１１とＲＦ  ＩＣ２２１は同じ基板上に形成されてもよい。また、ベースバンドＩＣ２１１とＲＦ  ＩＣ２２１は１チップで構成されてもよい。ＤＡＣ２１６およびＡＤＣ２１７の両方またはいずれか一方が、ＲＦ  ＩＣ２２１に配置されてもよいし、別のＩＣに配置されてもよい。またメモリ２１３およびＣＰＵ２１５の両方またはいずれか一方が、ベースバンドＩＣとは別のＩＣに配置されてもよい。
【０１２４】
メモリ２１３は、ホストシステムとの間で受け渡しするデータを格納する。またメモリ２１３は、端末またはアクセスポイントに通知する情報、または端末またはアクセスポイントから通知された情報、またはこれらの両方を格納する。また、メモリ２１３は、ＣＰＵ２１５の実行に必要なプログラムを記憶し、ＣＰＵ２１５がプログラムを実行する際の作業領域として利用されてもよい。メモリ２１３はＳＲＡＭ、ＤＲＡＭ等の揮発性メモリでもよいし、ＮＡＮＤ、ＭＲＡＭ等の不揮発メモリでもよい。
【０１２５】
ホスト・インターフェース２１４は、ホストシステムと接続するためのインターフェースである。インターフェースは、ＵＡＲＴ、ＳＰＩ、ＳＤＩＯ、ＵＳＢ、ＰＣＩ  Ｅｘｐｒｅｓｓなど何でも良い。
【０１２６】
ＣＰＵ２１５は、プログラムを実行することによりベースバンド回路２１２を制御するプロセッサである。ベースバンド回路２１２は、主にＭＡＣ層の処理および物理層の処理を行う。ベースバンド回路２１２、ＣＰＵ２１５またはこれらの両方は、通信を制御する通信制御装置、または通信を制御する制御部に対応する。
【０１２７】
ベースバンド回路２１２およびＣＰＵ２１５の少なくとも一方は、クロックを生成するクロック生成部を含み、当該クロック生成部で生成するクロックにより、内部時間を管理してもよい。
【０１２８】
ベースバンド回路２１２は、送信するフレームに、物理層の処理として、物理ヘッダーの付加、符号化、暗号化、変調処理（ＭＩＭＯ変調を含んでもよい）など行い、例えば２種類のデジタルベースバンド信号（以下、デジタルＩ信号とデジタルＱ信号）を生成する。
【０１２９】
ＤＡＣ２１６は、ベースバンド回路２１２から入力される信号をＤＡ変換する。より詳細には、ＤＡＣ２１６はデジタルＩ信号をアナログのＩ信号に変換し、デジタルＱ信号をアナログのＱ信号に変換する。なお、直交変調せずに一系統の信号のままで送信する場合もありうる。複数のアンテナを備え、一系統または複数系統の送信信号をアンテナの数だけ振り分けて送信する場合には、アンテナの数に応じた数のＤＡＣ等を設けてもよい。
【０１３０】
ＲＦ  ＩＣ２２１は、一例としてＲＦアナログＩＣあるいは高周波ＩＣ、あるいはこれらの両方である。ＲＦ  ＩＣ２２１は、フィルタ２２２、ミキサ２２３、プリアンプ（ＰＡ）２２４、ＰＬＬ（Phase Locked Loop：位相同期回路）２４２、低雑音増幅器（ＬＮＡ）、バラン２３５、ミキサ２３３、およびフィルタ２３２を備える。これらの要素のいくつかが、ベースバンドＩＣ２１１または別のＩＣ上に配置されてもよい。フィルタ２２２、２３２は、帯域通過フィルタでも、低域通過フィルタでもよい。
【０１３１】
フィルタ２２２は、ＤＡＣ２１６から入力されるアナログＩ信号およびアナログＱ信号のそれぞれから所望帯域の信号を抽出する。ＰＬＬ２４２は、水晶発振器２４３から入力される発振信号を用い、発振信号を分周または逓倍またはこれらの両方を行うことで、入力信号の位相に同期した、一定周波数の信号を生成する。なお、ＰＬＬ２４２は、ＶＣＯ（Voltage Controlled Oscillator）を備え、水晶発振器２４３から入力される発振信号に基づき、ＶＣＯを利用してフィードバック制御を行うことで、当該一定周波数の信号を得る。生成した一定周波数の信号は、ミキサ２２３およびミキサ２３３に入力される。ＰＬＬ２４２は、一定周波数の信号を生成する発振器の一例に相当する。
【０１３２】
ミキサ２２３は、フィルタ２２２を通過したアナログＩ信号およびアナログＱ信号を、ＰＬＬ２４２から供給される一定周波数の信号を利用して、無線周波数にアップコンバートする。プリアンプ（ＰＡ）２２４は、ミキサ２２３で生成された無線周波数のアナログＩ信号およびアナログＱ信号を、所望の出力電力まで増幅する。バラン２２５は、平衡信号（差動信号）を不平衡信号（シングルエンド信号）に変換するための変換器である。ＲＦ  ＩＣ２２１では平衡信号が扱われるが、ＲＦ  ＩＣ２２１の出力からアンテナ２４７までは不平衡信号が扱われるため、バラン２２５で、これらの信号変換を行う。
【０１３３】
スイッチ２４５は、送信時は、送信側のバラン２２５に接続され、受信時は、受信側の低雑音増幅器（ＬＮＡ）２３４またはＲＦ  ＩＣ２２１に接続される。スイッチ２４５の制御はベースバンドＩＣ２１１またはＲＦ  ＩＣ２２１により行われてもよいし、スイッチ２４５を制御する別の回路が存在し、当該回路からスイッチ２４５の制御を行ってもよい。
【０１３４】
プリアンプ２２４で増幅された無線周波数のアナログＩ信号およびアナログＱ信号は、バラン２２５で平衡−不平衡変換された後、アンテナ２４７から空間に電波として放射される。
【０１３５】
アンテナ２４７は、チップアンテナでもよいし、プリント基板上に配線により形成したアンテナでもよいし、線状の導体素子を利用して形成したアンテナでもよい。
【０１３６】
ＲＦ  ＩＣ２２１におけるＬＮＡ２３４は、アンテナ２４７からスイッチ２４５を介して受信した信号を、雑音を低く抑えたまま、復調可能なレベルまで増幅する。バラン２３５は、低雑音増幅器（ＬＮＡ）２３４で増幅された信号を、不平衡−平衡変換する。なお、バラン２３５とＬＮＡ２３４の順番を逆にした構成でもよい。ミキサ２３３は、バラン２３５で平衡信号に変換された受信信号を、ＰＬＬ２４２から入力される一定周波数の信号を用いてベースバンドにダウンコンバートする。より詳細には、ミキサ２３３は、ＰＬＬ２４２から入力される一定周波数の信号に基づき、互いに９０°位相のずれた搬送波を生成する手段を有し、バラン２３５で変換された受信信号を、互いに９０°位相のずれた搬送波により直交復調して、受信信号と同位相のＩ（Ｉｎ−ｐｈａｓｅ）信号と、これより９０°位相が遅れたＱ（Ｑｕａｄ−ｐｈａｓｅ）信号とを生成する。フィルタ２３２は、これらＩ信号とＱ信号から所望周波数成分の信号を抽出する。フィルタ２３２で抽出されたＩ信号およびＱ信号は、ゲインが調整された後に、ＲＦ  ＩＣ２２１から出力される。
【０１３７】
ベースバンドＩＣ２１１におけるＡＤＣ２１７は、ＲＦ  ＩＣ２２１からの入力信号をＡＤ変換する。より詳細には、ＡＤＣ２１７はＩ信号をデジタルＩ信号に変換し、Ｑ信号をデジタルＱ信号に変換する。なお、直交復調せずに一系統の信号だけを受信する場合もあり得る。
【０１３８】
複数のアンテナが設けられる場合には、アンテナの数に応じた数のＡＤＣを設けてもよい。ベースバンド回路２１２は、デジタルＩ信号およびデジタルＱ信号に基づき、復調処理、誤り訂正符号処理、物理ヘッダーの処理など、物理層の処理（ＭＩＭＯ復調を含んでもよい）等を行い、フレームを得る。ベースバンド回路２１２は、フレームに対してＭＡＣ層の処理を行う。なお、ベースバンド回路２１２は、ＴＣＰ／ＩＰを実装している場合は、ＴＣＰ／ＩＰの処理を行う構成も可能である。
【０１３９】
図２の制御部３０および自己干渉キャンセル機能は、一例としてベースバンド回路２１２が行う。自己干渉キャンセル機能に相当する回路を、ＲＦ  ＩＣ２２１側に配置してもよい。アンテナ２４７は、指向性可変アンテナでもよい。この場合、指向性パターンの切り替え制御は、ベースバンド回路２１２またはＣＰＵ２１５等が行ってもよい。
【０１４０】
（第７実施形態）
図１２は、第７の実施形態に係る端末（ＳＴＡ）９００の機能ブロック図である。このＳＴＡ９００は、通信処理部９０１と、送信部９０２と、受信部９０３と、アンテナ９１Ａと、アプリケーションプロセッサ９０４と、メモリ９０５と、第２無線通信モジュール９０６とを備えている。基地局（ＡＰ）が同様の構成を有しても良い。
【０１４１】
通信処理部９０１は、第１の実施形態で説明した制御部と同様な機能を有している。送信部９０２および受信部９０３は、第１の実施形態で説明した送信部および受信部と同様な機能を有している。または、送信部９０２および受信部９０３が、第１の実施形態で説明した送信部および受信部のアナログ領域の処理に対応し、第１の実施形態で説明した送信部および受信部のデジタル領域の処理は、通信処理部９０１に対応してもよい。ここで、通信処理部９０１は、アプリケーションプロセッサ９０４との間でデータを受け渡しするためのバッファを内部に保有してもよい。このバッファは、ＤＲＡＭ等の揮発性メモリでもよいし、ＮＡＮＤ、ＭＲＡＭ等の不揮発メモリでもよい。
【０１４２】
アプリケーションプロセッサ９０４は、通信処理部９０１を介した無線通信、メモリ９０５とのデータ書き込み・読み出し、および、第２無線通信モジュール９０６を介した無線通信を制御する。また、アプリケーションプロセッサ９０４は、Ｗｅｂブラウジングや、映像や音楽などのマルチメディア処理など、ＳＴＡにおける各種処理も実行する。アプリケーションプロセッサ９０４の動作は、ＣＰＵ等のプロセッサによるソフトウェア（プログラム）の処理によって行われてもよいし、ハードウェアによって行われてもよいし、ソフトウェアとハードウェアの両方によって行われてもよい。
【０１４３】
メモリ９０５は、受信部９０３や第２無線通信モジュール９０６で受信したデータや、アプリケーションプロセッサ９０４で処理したデータの保存等を行う。メモリ９０５は、例えば、ＤＲＡＭ等の揮発性メモリでもよいし、ＮＡＮＤ、ＭＲＡＭ等の不揮発メモリでもよい。また、ＳＳＤやＨＤＤ、ＳＤカード、ｅＭＭＣ等がであってもよい。メモリ９０５が、アクセスポイント９００の外部にあってもよい。
【０１４４】
第２無線通信モジュール９０６は、一例として、図１０または図１１で示した無線ＬＡＮモジュールと同様な構成を有する。第２無線通信モジュール９０６は、通信処理部９０１、送信部９０２、受信部９０３で実現される無線通信とは異なる方法で無線通信を実行する。例えば、通信処理部９０１、送信部９０２、受信部９０３がＩＥＥＥ８０２．１１規格に沿った無線通信である場合、第２無線通信モジュール９０６は、Ｂｌｕｅｔｏｏｔｈ（登録商標）、ＬＴＥ、Ｗｉｒｅｌｅｓｓ  ＨＤなど、他の無線通信規格に沿った無線通信を実行してもよい。また、通信処理部９０１、送信部９０２、受信部９０３が２．４ＧＨｚ／５ＧＨｚで無線通信を実行し、第２無線通信モジュール９０６が６０ＧＨｚで無線数新を実行すうようにしてもよい。
【０１４５】
なお、この例では、アンテナの個数はここでは１つであり、送信部９０２・受信部９０３と、第２無線通信モジュール９０６とでアンテナを共有している。ここで、アンテナ９１Ａの接続先を制御するスイッチを設けることで、アンテナを共有してもよい。また、複数のアンテナを備え、送信部９０２・受信部９０３と、第２無線通信モジュール９０６とで別のアンテナを使用するようにしてもよい。
【０１４６】
一例として、通信処理部９０１は、ベースバンド集積回路に対応し、送信部９０２と受信部９０３は、フレームを送受信するＲＦ集積回路に対応する。ここで、通信処理部９０１とアプリケーションプロセッサ９０４とが１つの集積回路（１チップ）で構成されてもよい。さらに、第２無線通信モジュール９０６の一部とアプリケーションプロセッサ９０４とが１つの集積回路（１チップ）で構成されてもよい。
【０１４７】
アプリケーションプロセッサは、通信処理部９０１を介した無線通信および第２無線通信モジュール９０６を介した無線通信の制御を行う。
【０１４８】
（第８実施形態）
図１３（Ａ）および図１３（Ｂ）は、本実施形態に係る無線端末の斜視図である。図１３（Ａ）の無線端末はノートＰＣ３０１であり、図１３（Ｂ）の無線端末は移動体端末３２１である。ノートＰＣ３０１および移動体端末３２１は、それぞれ無線通信装置３０５、３１５を搭載している。無線通信装置３０５、３１５として、これまで説明してきた無線端末に搭載されていた無線通信装置、またはアクセスポイントに搭載されていた無線通信装置、またはこれらの両方を用いることができる。無線通信装置を搭載する無線端末は、ノートＰＣや移動体端末に限定されない。例えば、ＴＶ、デジタルカメラ、ウェアラブルデバイス、タブレット、スマートフォン、ゲーム装置、ネットワークストレージ装置、モニタ、デジタルオーディオプレーヤ、Ｗｅｂカメラ、ビデオカメラ、プロジェクト、ナビゲーションシステム、外部アダプタ、内部アダプタ、セットトップボックス、ゲートウェイ、プリンタサーバ、モバイルアクセスポイント、ルータ、エンタープライズ／サービスプロバイダアクセスポイント、ポータブル装置、ハンドヘルド装置、自動車等にも搭載可能である。
【０１４９】
また、無線端末またはアクセスポイント、またはこれらの両方に搭載されていた無線通信装置は、メモリーカードにも搭載可能である。当該無線通信装置をメモリーカードに搭載した例を図１４に示す。メモリーカード３３１は、無線通信装置３５５と、メモリーカード本体３３２とを含む。メモリーカード３３１は、外部の装置（無線端末またはアクセスポイント、またはこれらの両方等）との無線通信のために無線通信装置３５５を利用する。なお、図１４では、メモリーカード３３１内の他の要素（例えばメモリ等）の記載は省略している。
【０１５０】
（第９実施形態）
本実施形態では、上述したいずれかの実施形態に係る無線通信装置（アクセスポイントの無線通信装置または無線端末の無線通信装置、またはこれらの両方）の構成に加えて、バス、プロセッサ部、及び外部インターフェース部を備える。プロセッサ部及び外部インターフェース部は、バスを介して外部メモリ（バッファ）と接続される。プロセッサ部ではファームウエアが動作する。このように、ファームウエアを無線通信装置に含める構成とすることにより、ファームウエアの書き換えによって無線通信装置の機能の変更を容易に行うことが可能となる。ファームウエアが動作するプロセッサ部は、本実施形態に係る制御部または制御部の処理を行うプロセッサであってもよいし、当該処理の機能拡張または変更に係る処理を行う別のプロセッサであってもよい。ファームウエアが動作するプロセッサ部を、本実施形態に係るアクセスポイントあるいは無線端末あるいはこれらの両方が備えてもよい。または当該プロセッサ部を、アクセスポイントに搭載される無線通信装置内の集積回路、または無線端末に搭載される無線通信装置内の集積回路が備えてもよい。
【０１５１】
（第１０実施形態）
本実施形態では、上述したいずれかの実施形態に係る無線通信装置（アクセスポイントの無線通信装置または無線端末の無線通信装置、またはこれらの両方）の構成に加えて、クロック生成部を備える。クロック生成部は、クロックを生成して出力端子より無線通信装置の外部にクロックを出力する。このように、無線通信装置内部で生成されたクロックを外部に出力し、外部に出力されたクロックによってホスト側を動作させることにより、ホスト側と無線通信装置側とを同期させて動作させることが可能となる。
【０１５２】
（第１１実施形態）
本実施形態では、上述したいずれかの実施形態に係る無線通信装置（アクセスポイントの無線通信装置または無線端末の無線通信装置）の構成に加えて、電源部、電源制御部、及び無線電力給電部を含む。電源制御部は、電源部と無線電力給電部とに接続され、無線通信装置に供給する電源を選択する制御を行う。このように、電源を無線通信装置に備える構成とすることにより、電源を制御した低消費電力化動作が可能となる。
【０１５３】
（第１２実施形態）
本実施形態では、上述したいずれかの実施形態に係る無線通信装置の構成に加えて、ＳＩＭカードを含む。ＳＩＭカードは、無線通信装置における送信部または受信部または制御部またはこれらのうちの複数と接続される。このように、ＳＩＭカードを無線通信装置に備える構成とすることにより、容易に認証処理を行うことが可能となる。
【０１５４】
（第１３実施形態）
本実施形態では、上述したいずれかの実施形態に係る無線通信装置の構成に加えて、動画像圧縮／伸長部を含む。動画像圧縮／伸長部は、バスと接続される。このように、動画像圧縮／伸長部を無線通信装置に備える構成とすることにより、圧縮した動画像の伝送と受信した圧縮動画像の伸長とを容易に行うことが可能となる。
【０１５５】
（第１４実施形態）
本実施形態では、上述したいずれかの実施形態に係る無線通信装置（アクセスポイントの無線通信装置または無線端末の無線通信装置、またはこれらの両方）の構成に加えて、ＬＥＤ部を含む。ＬＥＤ部は、送信部または受信部または制御部またはこれらのうちの複数と接続される。このように、ＬＥＤ部を無線通信装置に備える構成とすることにより、無線通信装置の動作状態をユーザに容易に通知することが可能となる。
【０１５６】
（第１５実施形態）
本実施形態では、上述したいずれかの実施形態に係る無線通信装置（アクセスポイントの無線通信装置または無線端末の無線通信装置、またはこれらの両方）の構成に加えて、バイブレータ部を含む。バイブレータ部は、送信部または受信部または制御部またはこれらのうちの複数と接続される。このように、バイブレータ部を無線通信装置に備える構成とすることにより、無線通信装置の動作状態をユーザに容易に通知することが可能となる。
【０１５７】
（第１６実施形態）
本実施形態では、上述したいずれかの実施形態に係る無線通信装置（アクセスポイントの無線通信装置または無線端末の無線通信装置、またはこれらの両方）の構成に加えて、ディスプレイを含む。ディスプレイは、図示しないバスを介して、無線通信装置の制御部に接続されてもよい。このようにディスプレイを備える構成とし、無線通信装置の動作状態をディスプレイに表示することで、無線通信装置の動作状態をユーザに容易に通知することが可能となる。
【０１５８】
（第１７実施形態）
本実施形態では、［１］無線通信システムにおけるフレーム種別、［２］無線通信装置間の接続切断の手法、［３］無線ＬＡＮシステムのアクセス方式、［４］無線ＬＡＮのフレーム間隔について説明する。
【０１５９】
［１］通信システムにおけるフレーム種別
一般的に無線通信システムにおける無線アクセスプロトコル上で扱うフレームは、前述したように、大別してデータ（ｄａｔａ）フレーム、管理（ｍａｎａｇｅｍｅｎｔ）フレーム、制御（ｃｏｎｔｒｏｌ）フレームの３種類に分けられる。これらの種別は、通常、フレーム間で共通に設けられるヘッダー部で示される。フレーム種別の表示方法としては、１つのフィールドで３種類を区別できるようにしてあってもよいし、２つのフィールドの組み合わせで区別できるようにしてあってもよい。ＩＥＥＥ８０２．１１規格では、フレーム種別の識別は、ＭＡＣフレームのフレームヘッダー部にあるＦｒａｍｅ  Ｃｏｎｔｒｏｌフィールドの中のＴｙｐｅ、Ｓｕｂｔｙｐｅという２つのフィールドで行う。データフレームか、管理フレームか、制御フレームかの大別はＴｙｐｅフィールドで行われ、大別されたフレームの中での細かい種別、例えば管理フレームの中のＢｅａｃｏｎフレームといった識別はＳｕｂｔｙｐｅフィールドで行われる。
【０１６０】
管理フレームは、他の無線通信装置との間の物理的な通信リンクの管理に用いるフレームである。例えば、他の無線通信装置との間の通信設定を行うために用いられるフレームや通信リンクをリリースする（つまり接続を切断する）ためのフレーム、無線通信装置でのパワーセーブ動作に係るフレームがある。
【０１６１】
データフレームは、他の無線通信装置と物理的な通信リンクが確立した上で、無線通信装置の内部で生成されたデータを他の無線通信装置に送信するフレームである。データは本実施形態の上位層で生成され、例えばユーザの操作によって生成される。
【０１６２】
制御フレームは、データフレームを他の無線通信装置との間で送受（交換）する際の制御に用いられるフレームである。無線通信装置がデータフレームや管理フレームを受信した場合にその送達確認のために送信される応答フレームは、制御フレームに属する。応答フレームは、例えばＡＣＫフレームやＢｌｏｃｋＡＣＫフレームである。またＲＴＳフレームやＣＴＳフレームも制御フレームである。
【０１６３】
これら３種類のフレームは、物理層で必要に応じた処理を経て物理パケットとしてアンテナを経由して送出される。なお、ＩＥＥＥ８０２．１１規格（前述のＩＥＥＥ  Ｓｔｄ
８０２．１１ａｃ−２０１３などの拡張規格を含む）では接続確立の手順の１つとしてアソシエーション（ａｓｓｏｃｉａｔｉｏｎ）プロセスがあるが、その中で使われるＡｓｓｏｃｉａｔｉｏｎ  ＲｅｑｕｅｓｔフレームとＡｓｓｏｃｉａｔｉｏｎ  Ｒｅｓｐｏｎｓｅフレームが管理フレームであり、Ａｓｓｏｃｉａｔｉｏｎ  ＲｅｑｕｅｓｔフレームやＡｓｓｏｃｉａｔｉｏｎ  Ｒｅｓｐｏｎｓｅフレームはユニキャストの管理フレームであることから、受信側無線通信端末に応答フレームであるＡＣＫフレームの送信を要求し、このＡＣＫフレームは上述のように制御フレームである。
【０１６４】
［２］無線通信装置間の接続切断の手法
接続の切断（リリース）には、明示的な手法と暗示的な手法とがある。明示的な手法としては、接続を確立している無線通信装置間のいずれか一方が切断のためのフレームを送信する。ＩＥＥＥ８０２．１１規格ではＤｅａｕｔｈｅｎｔｉｃａｔｉｏｎフレームがこれに当たり、管理フレームに分類される。通常、接続を切断するフレームを送信する側の無線通信装置では当該フレームを送信した時点で、接続を切断するフレームを受信する側の無線通信装置では当該フレームを受信した時点で、接続の切断と判定する。その後、非基地局の無線通信端末であれば通信フェーズでの初期状態、例えば接続するＢＳＳ探索する状態に戻る。無線通信基地局がある無線通信端末との間の接続を切断した場合には、例えば無線通信基地局が自ＢＳＳに加入する無線通信端末を管理する接続管理テーブルを持っているならば当該接続管理テーブルから当該無線通信端末に係る情報を削除する。例えば、無線通信基地局が自ＢＳＳに加入する各無線通信端末に接続をアソシエーションプロセスで許可した段階で、ＡＩＤを割り当てる場合には、当該接続を切断した無線通信端末のＡＩＤに関連づけられた保持情報を削除し、当該ＡＩＤに関してはリリースして他の新規加入する無線通信端末に割り当てられるようにしてもよい。
【０１６５】
一方、暗示的な手法としては、接続を確立した接続相手の無線通信装置から一定期間フレーム送信（データフレーム及び管理フレームの送信、あるいは自装置が送信したフレームへの応答フレームの送信）を検知しなかった場合に、接続状態の切断の判定を行う。このような手法があるのは、上述のように接続の切断を判定するような状況では、接続先の無線通信装置と通信距離が離れて無線信号が受信不可あるいは復号不可になるなど物理的な無線リンクが確保できない状態が考えられるからである。すなわち、接続を切断するフレームの受信を期待できないからである。
【０１６６】
暗示的な方法で接続の切断を判定する具体例としては、タイマーを使用する。例えば、送達確認応答フレームを要求するデータフレームを送信する際、当該フレームの再送期間を制限する第１のタイマー（例えばデータフレーム用の再送タイマー）を起動し、第１のタイマーが切れるまで（つまり所望の再送期間が経過するまで）当該フレームへの送達確認応答フレームを受信しないと再送を行う。当該フレームへの送達確認応答フレームを受信すると第１のタイマーは止められる。
【０１６７】
一方、送達確認応答フレームを受信せず第１のタイマーが切れると、例えば接続相手の無線通信装置がまだ（通信レンジ内に）存在するか（言い換えれば、無線リンクが確保できているか）を確認するための管理フレームを送信し、それと同時に当該フレームの再送期間を制限する第２のタイマー（例えば管理フレーム用の再送タイマー）を起動する。第１のタイマーと同様、第２のタイマーでも、第２のタイマーが切れるまで当該フレームへの送達確認応答フレームを受信しないと再送を行い、第２のタイマーが切れると接続が切断されたと判定する。接続が切断されたと判定した段階で、前記接続を切断するフレームを送信するようにしてもよい。
【０１６８】
あるいは、接続相手の無線通信装置からフレームを受信すると第３のタイマーを起動し、新たに接続相手の無線通信装置からフレームを受信するたびに第３のタイマーを止め、再び初期値から起動する。第３のタイマーが切れると前述と同様に接続相手の無線通信装置がまだ（通信レンジ内に）存在するか（言い換えれば、無線リンクが確保できているか）を確認するための管理フレームを送信し、それと同時に当該フレームの再送期間を制限する第２のタイマー（例えば管理フレーム用の再送タイマー）を起動する。この場合も、第２のタイマーが切れるまで当該フレームへの送達確認応答フレームを受信しないと再送を行い、第２のタイマーが切れると接続が切断されたと判定する。この場合も、接続が切断されたと判定した段階で、前記接続を切断するフレームを送信するようにしてもよい。後者の、接続相手の無線通信装置がまだ存在するかを確認するための管理フレームは、前者の場合の管理フレームとは異なるものであってもよい。また後者の場合の管理フレームの再送を制限するためのタイマーは、ここでは第２のタイマーとして前者の場合と同じものを用いたが、異なるタイマーを用いるようにしてもよい。
【０１６９】
［３］無線ＬＡＮシステムのアクセス方式
例えば、複数の無線通信装置と通信または競合することを想定した無線ＬＡＮシステムがある。ＩＥＥＥ８０２．１１無線ＬＡＮではＣＳＭＡ／ＣＡ（Carrier Sense Multiple Access with Carrier Avoidance）をアクセス方式の基本としている。ある無線通信装置の送信を把握し、その送信終了から固定時間を置いて送信を行う方式では、その無線通信装置の送信を把握した複数の無線通信装置で同時に送信を行うことになり、その結果、無線信号が衝突してフレーム送信に失敗する。ある無線通信装置の送信を把握し、その送信終了からランダム時間待つことで、その無線通信装置の送信を把握した複数の無線通信装置での送信が確率的に分散することになる。よって、ランダム時間の中で最も早い時間を引いた無線通信装置が１つなら無線通信装置のフレーム送信は成功し、フレームの衝突を防ぐことができる。ランダム値に基づき送信権の獲得が複数の無線通信装置間で公平になることから、Ｃａｒｒｉｅｒ  Ａｖｏｉｄａｎｃｅを採用した方式は、複数の無線通信装置間で無線媒体を共有するために適した方式であるということができる。
【０１７０】
［４］無線ＬＡＮのフレーム間隔
ＩＥＥＥ８０２．１１無線ＬＡＮのフレーム間隔について説明する。ＩＥＥＥ８０２．１１無線ＬＡＮで用いられるフレーム間隔は、ｄｉｓｔｒｉｂｕｔｅｄ  ｃｏｏｒｄｉｎａｔｉｏｎ  ｆｕｎｃｔｉｏｎ  ｉｎｔｅｒｆｒａｍｅ  ｓｐａｃｅ（ＤＩＦＳ）、ａｒｂｉｔｒａｔｉｏｎ  ｉｎｔｅｒｆｒａｍｅ  ｓｐａｃｅ（ＡＩＦＳ）、ｐｏｉｎｔ  ｃｏｏｒｄｉｎａｔｉｏｎ  ｆｕｎｃｔｉｏｎ  ｉｎｔｅｒｆｒａｍｅ  ｓｐａｃｅ（ＰＩＦＳ）、ｓｈｏｒｔ  ｉｎｔｅｒｆｒａｍｅ  ｓｐａｃｅ（ＳＩＦＳ）、ｅｘｔｅｎｄｅｄ  ｉｎｔｅｒｆｒａｍｅ  ｓｐａｃｅ（ＥＩＦＳ）、ｒｅｄｕｃｅｄ  ｉｎｔｅｒｆｒａｍｅ  ｓｐａｃｅ（ＲＩＦＳ）などがある。
【０１７１】
フレーム間隔の定義は、ＩＥＥＥ８０２．１１無線ＬＡＮでは送信前にキャリアセンスアイドルを確認して開けるべき連続期間として定義されており、厳密な前のフレームからの期間は議論しない。従ってここでのＩＥＥＥ８０２．１１無線ＬＡＮシステムでの説明においてはその定義を踏襲する。ＩＥＥＥ８０２．１１無線ＬＡＮでは、ＣＳＭＡ／ＣＡに基づくランダムアクセスの際に待つ時間を固定時間とランダム時間との和としており、固定時間を明確にするため、このような定義になっているといえる。
【０１７２】
ＤＩＦＳとＡＩＦＳとは、ＣＳＭＡ／ＣＡに基づき他の無線通信装置と競合するコンテンション期間にフレーム交換開始を試みるときに用いるフレーム間隔である。ＤＩＦＳは、トラヒック種別による優先権の区別がないとき、ＡＩＦＳはトラヒック種別（ＴＩＤ：Traffic Identifier）による優先権が設けられている場合に用いる。
【０１７３】
ＤＩＦＳとＡＩＦＳとで係る動作としては類似しているため、以降では主にＡＩＦＳを用いて説明する。ＩＥＥＥ８０２．１１無線ＬＡＮでは、ＭＡＣ層でフレーム交換の開始などを含むアクセス制御を行う。さらに、上位層からデータを渡される際にＱｏＳ（Quality of Service）対応する場合には、データとともにトラヒック種別が通知され、トラヒック種別に基づいてデータはアクセス時の優先度のクラス分けがされる。このアクセス時のクラスをアクセスカテゴリ（ＡＣ：Access Category）と呼ぶ。従って、アクセスカテゴリごとにＡＩＦＳの値が設けられることになる。
【０１７４】
ＰＩＦＳは、競合する他の無線通信装置よりも優先権を持つアクセスができるようにするためのフレーム間隔であり、ＤＩＦＳ及びＡＩＦＳのいずれの値よりも期間が短い。ＳＩＦＳは、応答系の制御フレームの送信時あるいは一旦アクセス権を獲得した後にバーストでフレーム交換を継続する場合に用いることができるフレーム間隔である。ＥＩＦＳはフレーム受信に失敗した（受信したフレームがエラーであると判定した）場合に起動されるフレーム間隔である。
【０１７５】
ＲＩＦＳは一旦アクセス権を獲得した後にバーストで同一無線通信装置に複数のフレームを連続して送信する場合に用いることができるフレーム間隔であり、ＲＩＦＳを用いている間は送信相手の無線通信装置からの応答フレームを要求しない。
【０１７６】
ここでＩＥＥＥ８０２．１１無線ＬＡＮにおけるランダムアクセスに基づく競合期間のフレーム交換の一例を図１５に示す。  
ある無線通信装置においてデータフレーム（Ｗ＿ＤＡＴＡ１）の送信要求が発生した際に、キャリアセンスの結果、媒体がビジーである（ｂｕｓｙ  ｍｅｄｉｕｍ）と認識する場合を想定する。この場合、キャリアセンスがアイドルになった時点から固定時間のＡＩＦＳを空け、その後ランダム時間（ｒａｎｄｏｍ  ｂａｃｋｏｆｆ）空いたところで、データフレームＷ＿ＤＡＴＡ１を通信相手に送信する。なお、キャリアセンスの結果、媒体がビジーではない、つまり媒体がアイドル（ｉｄｌｅ）であると認識した場合には、キャリアセンスを開始した時点から固定時間のＡＩＦＳを空けて、データフレームＷ＿ＤＡＴＡ１を通信相手に送信する。
【０１７７】
ランダム時間は０から整数で与えられるコンテンションウィンドウ（ＣＷ：Contention Window）の間の一様分布から導かれる擬似ランダム整数にスロット時間をかけたものである。ここで、ＣＷにスロット時間をかけたものをＣＷ時間幅と呼ぶ。ＣＷの初期値はＣＷｍｉｎで与えられ、再送するたびにＣＷの値はＣＷｍａｘになるまで増やされる。ＣＷｍｉｎとＣＷｍａｘとの両方とも、ＡＩＦＳと同様アクセスカテゴリごとの値を持つ。Ｗ＿ＤＡＴＡ１の送信先の無線通信装置では、データフレームの受信に成功し、かつ当該データフレームが応答フレームの送信を要求するフレームであるとそのデータフレームを内包する物理パケットの無線媒体上での占有終了時点からＳＩＦＳ時間後に応答フレーム（Ｗ＿ＡＣＫ１）を送信する。Ｗ＿ＤＡＴＡ１を送信した無線通信装置は、Ｗ＿ＡＣＫ１を受信すると送信バースト時間制限内であればまたＷ＿ＡＣＫ１を内包する物理パケットの無線媒体上での占有終了時点からＳＩＦＳ時間後に次のフレーム（例えばＷ＿ＤＡＴＡ２）を送信することができる。
【０１７８】
ＡＩＦＳ、ＤＩＦＳ、ＰＩＦＳ及びＥＩＦＳは、ＳＩＦＳとスロット時間との関数になるが、ＳＩＦＳとスロット時間とは物理層ごとに規定されている。また、ＡＩＦＳ、ＣＷｍｉｎ及びＣＷｍａｘなどアクセスカテゴリごとに値が設けられるパラメータは、通信グループ（ＩＥＥＥ８０２．１１無線ＬＡＮではＢＳＳ（Basic Service Set））ごとに設定可能であるが、デフォルト値が定められている。
【０１７９】
例えば、８０２．１１ａｃの規格策定では、ＳＩＦＳは１６μｓ、スロット時間は９μｓであるとして、それによってＰＩＦＳは２５μｓ、ＤＩＦＳは３４μｓ、ＡＩＦＳにおいてアクセスカテゴリがＢＡＣＫＧＲＯＵＮＤ（ＡＣ＿ＢＫ）のフレーム間隔はデフォルト値が７９μｓ、ＢＥＳＴ  ＥＦＦＯＲＴ（ＡＣ＿ＢＥ）のフレーム間隔はデフォルト値が４３μｓ、ＶＩＤＥＯ（ＡＣ＿ＶＩ）とＶＯＩＣＥ（ＡＣ＿ＶＯ）のフレーム間隔はデフォルト値が３４μｓ、ＣＷｍｉｎとＣＷｍａｘとのデフォルト値は、各々ＡＣ＿ＢＫとＡＣ＿ＢＥとでは３１と１０２３、ＡＣ＿ＶＩでは１５と３１、ＡＣ＿ＶＯでは７と１５になるとする。なお、ＥＩＦＳは、基本的にはＳＩＦＳとＤＩＦＳと最も低速な必須の物理レートで送信する場合の応答フレームの時間長の和である。なお効率的なＥＩＦＳの取り方ができる無線通信装置では、ＥＩＦＳを起動した物理パケットへの応答フレームを運ぶ物理パケットの占有時間長を推定し、ＳＩＦＳとＤＩＦＳとその推定時間の和とすることもできる。
【０１８０】
なお、各実施形態で記載されているフレームは、Ｎｕｌｌ  Ｄａｔａ  Ｐａｃｋｅｔなど、ＩＥＥＥ８０２．１１規格または準拠する規格で、パケットと呼ばれるものを指してもよい。
【０１８１】
本実施形態で用いられる用語は、広く解釈されるべきである。例えば用語“プロセッサ”は、汎用目的プロセッサ、中央処理装置（ＣＰＵ）、マイクロプロセッサ、デジタル信号プロセッサ（ＤＳＰ）、コントローラ、マイクロコントローラ、状態マシンなどを包含してもよい。状況によって、“プロセッサ”は、特定用途向け集積回路、フィールドプログラマブルゲートアレイ（ＦＰＧＡ）、プログラム可能論理回路（ＰＬＤ）などを指してもよい。“プロセッサ”は、複数のマイクロプロセッサのような処理装置の組み合わせ、ＤＳＰおよびマイクロプロセッサの組み合わせ、ＤＳＰコアと協働する１つ以上のマイクロプロセッサを指してもよい。
【０１８２】
別の例として、用語“メモリ”は、電子情報を格納可能な任意の電子部品を包含してもよい。“メモリ”は、ランダムアクセスメモリ（ＲＡＭ）、読み出し専用メモリ（ＲＯＭ）、プログラム可能読み出し専用メモリ（ＰＲＯＭ）、消去可能プログラム可能読み出し専用メモリ（ＥＰＲＯＭ）、電気的消去可能ＰＲＯＭ（ＥＥＰＲＯＭ）、不揮発性ランダムアクセスメモリ（ＮＶＲＡＭ）、フラッシュメモリ、磁気または光学データストレージを指してもよく、これらはプロセッサによって読み出し可能である。プロセッサがメモリに対して情報を読み出しまたは書き込みまたはこれらの両方を行うならば、メモリはプロセッサと電気的に通信すると言うことができる。メモリは、プロセッサに統合されてもよく、この場合も、メモリは、プロセッサと電気的に通信していると言うことができる。また、回路は、単一チップに配置された複数の回路でもよいし、複数のチップまたは複数の装置に分散して配置された１つ以上の回路でもよい。
【０１８３】
また本明細書において  “ａ，ｂおよび（または）ｃの少なくとも１つ”は、ａ，ｂ，ｃ，ａ−ｂ，  ａ−ｃ，ｂ−ｃ，ａ−ｂ−ｃの組み合わせだけでなく、ａ−ａ，ａ−ｂ−ｂ，ａ−ａ−ｂ−ｂ−ｃ−ｃなどの同じ要素の複数の組み合わせも含む表現である。また、ａ−ｂ−ｃ−ｄの組み合わせのように、ａ，ｂ，ｃ以外の要素を含む構成もカバーする表現である。
【０１８４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１８５】
１：無線通信装置
１０：送信部
１００：パケットデータ生成部
１０１：ＰＨＹヘッダー生成部
１０２：エンコーダ
１０３：ＡＣＫ／ＮＡＣＫ送信部
１０４：送信済パケット記憶部
２０：受信部
２００：ＰＨＹヘッダー解析部
２０１：尤度合成部
２０２：デコーダ
２０３：ＡＣＫ／ＮＡＣＫ受信部
２０４：受信済パケット記憶部
３０：制御部
４０：無線部
４１：アンテナ
２１１：ベースバンドＩＣ
２１３：メモリ
２１４：ホスト・インターフェース
２１５：ＣＰＵ
２１６：ＤＡＣ
２１７：ＡＤＣ
２２１：ＲＦ  ＩＣ
２２２：フィルタ
２２３：ミキサ
２２４：アンプ
２２５、２３５：バラン
２４２：ＰＬＬ
２４３：水晶発振器
２４７：アンテナ
２４５：スイッチ
１４８：無線ＬＡＮモジュール
１４９：ホストシステム
３０１：ノートＰＣ
３０５、３１５、３５５：無線通信装置
３２１：移動体端末
３３１：メモリーカード
３３２：メモリーカード本体
４２Ａ〜４２Ｄ：アンテナ
４０２：送信部
４０３：受信部
４０１：通信処理部
４０４：ネットワーク処理部
４０５：有線Ｉ／Ｆ
４０６：メモリ
４０７：サーバ
９０１：通信処理部
９０２：送信部
９０３：受信部
９１Ａ：アンテナ
９０４：アプリケーションプロセッサ
９０５：メモリ
９０６：第２無線通信モジュール
【図１】
2019036910.tif 000003
【図２】
2019036910.tif 000004
【図３】
2019036910.tif 000005
【図４】
2019036910.tif 000006
【図５】
2019036910.tif 000007
【図６】
2019036910.tif 000008
【図７】
2019036910.tif 000009
【図８】
2019036910.tif 000010
【図９】
2019036910.tif 000011
【図１０】
2019036910.tif 000012
【図１１】
2019036910.tif 000013
【図１２】
2019036910.tif 000014
【図１３】
2019036910.tif 000015
【図１４】
2019036910.tif 000016
【図１５】
2019036910.tif 000017